(57)【特許請求の範囲】
【請求項１】
患者が入院中であるか否かに関する入院関連情報を取得可能な第１取得処理部と、
薬品に対応付けられた検査項目の検査時期に関する検査条件を取得可能な第２取得処理部と、
前記患者の前記検査項目の検査実施時期を取得可能な第３取得処理部と、
前記入院関連情報に基づいて患者が入院中であるか否かを判定する第１判定処理部と、
前記第１判定処理部により入院中であると判定される前記患者について、前記患者が服用する薬品に対応する前記検査項目の前記検査実施時期が前記検査条件を満たしているか否かを判定する第２判定処理部と、
前記第２判定処理部による判定結果を出力可能な出力処理部と、
を備える検査支援システム。
【請求項２】
前記第１判定処理部及び前記第２判定処理部は、前記患者が服用する薬品の情報を含む処方データが入力されるタイミング、前記検査実施時期を含む検査データが入力されるタイミング、予め定められた特定の時刻、又は予め定められた特定の間隔のいずれか一つ又は複数のタイミングで判定を実行する、
請求項１に記載の検査支援システム。
【請求項３】
前記第２判定処理部は、前記患者が前記薬品を初回に服用した初回服用日と前記検査実施時期と前記検査条件とに基づいて判定を実行する、
請求項１又は２に記載の検査支援システム。
【請求項４】
前記患者が現実に薬品の服用を初回に開始した現実服用開始日の入力操作に応じて前記現実服用開始日を前記初回服用日として取得可能な第４取得処理部を備える、
請求項３に記載の検査支援システム。
【請求項５】
前記出力処理部は、前記初回服用日と前記検査実施時期と前記検査条件とに基づいて前記検査項目の次の検査時期を出力可能である、
請求項３又は４に記載の検査支援システム。
【請求項６】
前記患者の身体に関する身体情報及び前記身体情報の身体測定時期を取得可能な第５取得処理部と、
前記患者に対応する前記検査項目の検査結果が前記患者の身体情報に応じて予め設定された適正範囲内であるか否かを判定する第３判定処理部と、
前記身体測定時期が予め定められた測定許容期間内であるか否かを判定する第４判定処理部と、
を備え、
前記出力処理部は、前記第３判定処理部及び前記第４判定処理部による判定結果を出力可能である、
請求項１〜５のいずれかに記載の検査支援システム。
【請求項７】
前記身体情報に体重及び身長が含まれ、前記測定許容期間が体重及び身長ごとに予め設定されており、
前記第４判定処理部は、前記身体情報のうち体重の測定時期が前記体重に対応する前記測定許容期間内であるか否かを判定し、前記身体情報のうち身長の測定時期が前記身長に対応する前記測定許容期間内であるか否かを判定する、
請求項６に記載の検査支援システム。
【請求項８】
前記薬品と前記検査条件と前記薬品を服用する患者について前記検査実施時期が前記検
査条件を満たしているか否かを定期的に判定する定期的検査の必要性を示す必要度とが対応付けられた薬品データベースから、ユーザー操作で選択される前記必要度に対応する前記薬品の前記検査条件を抽出して記憶部に記憶させる抽出処理部を備え、
前記第２取得処理部は、前記記憶部から前記検査条件を取得する、
請求項１〜７のいずれかに記載の検査支援システム。
【請求項９】
前記第２判定処理部は、
前記第１判定処理部により入院中であると判定される前記患者について、前記患者が服用する薬品に対応する前記検査項目の検査時期を示す検査時期情報を前記検査条件に基づいて予め設定した後、前記検査時期情報に基づいて前記患者が服用する薬品に対応する前記検査項目の前記検査実施時期が前記検査条件を満たしているか否かを判定するものであって、前記患者が退院又は転院した旨を示す情報が入力された場合は当該患者の前記検査時期情報を削除する、
請求項１〜８のいずれかに記載の検査支援システム。
【請求項１０】
入院患者が服用する薬品に対応付けられた検査項目の検査時期に関する検査条件を取得可能な第２取得処理部と、
前記入院患者の前記検査項目の検査実施時期を取得可能な第３取得処理部と、
前記入院患者が服用する薬品に対応する前記検査項目の前記検査実施時期が前記検査条件を満たしているか否かを判定する第２判定処理部と、
前記第２判定処理部による判定結果を出力可能な出力処理部と、
を備え、
前記第２判定処理部による判定が予め定められた実行スケジュールに従って実行される、
検査支援システム。
【請求項１１】
患者が入院中であるか否かに関する入院関連情報を取得する第１取得ステップと、
薬品に対応付けられた検査項目の検査条件を取得する第２取得ステップと、
前記患者の前記検査項目の検査実施時期を取得する第３取得ステップと、
前記入院関連情報に基づいて患者が入院中であるか否かを判定する第１判定ステップと、
前記第１判定ステップにより入院中であると判定される前記患者について、前記患者が服用する薬品に対応する前記検査項目の前記検査実施時期が前記検査条件を満たしているか否かを判定する第２判定ステップと、
前記第２判定ステップによる判定結果を出力可能な出力ステップと、
をプロセッサーに実行させるための検査支援プログラム。
【発明の詳細な説明】
【技術分野】
【０００１】
本発明は、薬品の服用に適切な検査の実施確認を支援することが可能な検査支援システム及び検査支援プログラムに関する。
【背景技術】
【０００２】
病院等の医療機関では、処方内容が電子カルテシステムなどに入力されることにより処方データが発行され、前記処方データに基づいて薬品が調剤される（例えば、特許文献１参照）。ところで、患者が薬品を服用する場合には、薬品の添付文書に記載された通りの服用方法を遵守することが望ましい。例えば、薬品の種類によっては、その薬品を服用する患者について実施されるべき検査の検査項目及び検査間隔などが定められている場合がある。
【先行技術文献】
【特許文献】
【０００３】
【特許文献１】特開２０１３−１２５３７７号公報
【発明の概要】
【発明が解決しようとする課題】
【０００４】
しかしながら、医師又は薬剤師などの医療従事者が、薬品を服用する患者について、その薬品ごとに予め設定された検査項目について適切な検査間隔で検査が実施されているか否かを判断することは困難である。
【０００５】
本発明の目的は、薬品の服用に適切な検査の実施確認を支援することが可能な検査支援システム及び検査支援プログラムを提供することにある。
【課題を解決するための手段】
【０００６】
本発明に係る検査支援システムは、患者が入院中であるか否かに関する入院関連情報を取得可能な第１取得処理部と、薬品に対応付けられた検査項目の検査条件を取得可能な第２取得処理部と、前記患者の前記検査項目の検査実施時期を取得可能な第３取得処理部と、前記入院関連情報に基づいて患者が入院中であるか否かを判定する第１判定処理部と、前記第１判定処理部により入院中であると判定される前記患者について、前記患者が服用する薬品に対応する前記検査項目の前記検査実施時期が前記検査条件を満たしているか否かを判定する第２判定処理部と、前記第２判定処理部による判定結果を出力可能な出力処理部と、を備える。
【０００７】
本発明に係る検査支援システムは、入院患者が服用する薬品に対応付けられた検査項目の検査時期に関する検査条件を取得可能な第２取得処理部と、前記入院患者の前記検査項目の検査実施時期を取得可能な第３取得処理部と、前記入院患者が服用する薬品に対応する前記検査項目の前記検査実施時期が前記検査条件を満たしているか否かを判定する第２判定処理部と、前記第２判定処理部による判定結果を出力可能な出力処理部とを備える。
【０００８】
本発明に係る検査支援プログラムは、患者が入院中であるか否かに関する入院関連情報を取得する第１取得ステップと、薬品に対応付けられた検査項目の検査時期に関する検査条件を取得する第２取得ステップと、前記患者の前記検査項目の検査実施時期を取得する第３取得ステップと、前記入院関連情報に基づいて患者が入院中であるか否かを判定する第１判定ステップと、前記第１判定ステップにより入院中であると判定される前記患者について、前記患者が服用する薬品に対応する前記検査項目の前記検査実施時期が前記検査条件を満たしているか否かを判定する第２判定ステップと、前記第２判定ステップによる判定結果を出力可能な出力ステップと、をプロセッサーに実行させるためのプログラムである。
【０００９】
本発明によれば、入院している患者各々について、前記検査実施時期が前記検査条件を充足しているか否かが適宜判定されて、その判定結果が出力されるため、前記薬品の服用に適切な検査の実施確認が支援される。これにより、例えば薬品の服用に必要な検査の実施漏れなどが抑制される。
【発明の効果】
【００１０】
本発明によれば、薬品の服用に適切な検査の実施確認を支援することが可能な検査支援システム及び検査支援プログラムが提供される。
【図面の簡単な説明】
【００１１】
【図１】図１は、本発明の実施形態に係る検査支援システムの構成を示すブロック図である。
【図２】図２（Ａ）〜図２（Ｄ）は、本発明の実施形態に係る検査支援システムで使用されるマスター情報及び薬品データベースの一例を示す図である。
【図３】図３（Ａ）、図３（Ｂ）は、本発明の実施形態に係る検査支援システムで使用されるマスター情報の一例を示す図である。
【図４】図４（Ａ）、図４（Ｂ）は、本発明の実施形態に係る検査支援システムで使用されるマスター情報の一例を示す図である。
【図５】図５（Ａ）〜図５（Ｄ）は、本発明の実施形態に係る検査支援システムで使用されるマスター情報の一例を示す図である。
【図６】図６は、本発明の実施形態に係る検査支援システムで使用される処方チェック情報一例を示す図である。
【図７】図７は、本発明の実施形態に係る検査支援システムにおける表示画面の一例を示す図である。
【図８】図８は、本発明の実施形態に係る検査支援システムにおける表示画面の一例を示す図である。
【図９】図９は、本発明の実施形態に係る検査支援システムにおける表示画面の一例を示す図である。
【図１０】図１０は、本発明の実施形態に係る検査支援システムにおける表示画面の一例を示す図である。
【図１１】図１１は、本発明の実施形態に係る検査支援システムにおける表示画面の一例を示す図である。
【図１２】図１２は、本発明の実施形態に係る検査支援システムにおける表示画面の一例を示す図である。
【図１３】図１３は、本発明の実施形態に係る検査支援システムにおける処方データの流れを示す図である。
【図１４】図１４は、本発明の実施形態に係る検査支援システムで実行される定期的検査管理処理の一例を示すフローチャートである。
【図１５】図１５は、本発明の実施形態に係る検査支援システムで使用されるＢＭＩチェック情報の一例を示す図である。
【図１６】図１６は、本発明の実施形態に係る検査支援システムで実行される定期的検査チェック処理の一例を示すフローチャートである。
【図１７】図１７は、本発明の実施形態に係る検査支援システムで表示されるモニター画面の一例を示す図である。
【図１８】図１８（Ａ）〜図１８（Ｃ）は、本発明の実施形態に係る検査支援システムにおける検査間隔の設定手法を説明するための図である。
【図１９】図１９は、本発明の実施形態に係る検査支援システムで実行される検査候補期間抽出処理の一例を示すフローチャートである。
【図２０】図２０は、本発明の実施形態に係る検査支援システムで実行される検査候補期間抽出処理の他の例を示すフローチャートである。
【図２１】図２１は、本発明の実施形態に係る検査支援システムで実行される検査候補期間抽出処理の結果の一例を示す図である。
【図２２】図２２は、本発明の実施形態に係る検査支援システムで実行される検査候補期間抽出処理の結果の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
［検査支援システム１０］
本発明の実施形態に係る検査支援システム１０は、例えば病院、薬局、又は介護老人保健施設などの医療機関で使用される。前記検査支援システム１０を操作するユーザーは、例えば医師、看護師、又は薬剤師などの医療従事者である。なお、本実施形態において前記検査支援システム１０は、例えば電子カルテシステム、オーダーリングシステム、レセプトシステム、又はこれらと連携可能なシステムである。
【００１４】
図１に示されるように、前記検査支援システム１０は、サーバー１、クライアント端末２、調剤機器３、及びプリンター４などを備える。なお、前記サーバー１単体を本発明に係る検査支援システムとして捉えてもよい。前記サーバー１、前記クライアント端末２、前記調剤機器３、及び前記プリンター４は、通信網５を介して無線又は有線で通信可能に接続される。前記通信網５は、ＬＡＮ、ＷＡＮ、インターネット、又はイントラネットなどである。また、前記サーバー１には、電子カルテシステム、オーダーリングシステム、又はレセプトシステムなどの上位システム６が前記通信網５を介して接続される。
【００１５】
前記上位システム６は、記憶部６１及び制御部６２などを備える。前記制御部６２は、ＣＰＵ、ＲＡＭ、及びＲＯＭなどを含む。前記記憶部６１は、患者ごとのホスト側患者データ及び処方データなどの記憶に用いられる。具体的に、前記制御部６２は、ユーザー操作に基づいて患者ごとのプロファイルを示すホスト側患者データ、及び患者ごとの処方内容を示す処方データなどの登録操作を受け付けて記憶部６１に記憶させる。
【００１６】
前記ホスト側患者データには、患者が入院中であるか否かなどを示す入院関連情報、及び患者の身長、体重などを示す身体情報が含まれる。前記身体情報には、患者の身長を測定した時期を示す身長測定時期、及び体重を測定した時期を示す体重測定時期などの身体測定時期も含まれる。また、前記制御部６２は、前記記憶部６１に既に記憶されている前記入院関連情報又は前記身体情報をユーザー操作に応じて更新することも可能である。なお、前記制御部６２は、患者の体重測定に用いられる体重計の測定結果（体重、体重測定時期）、又は患者の身長測定に用いられる身長計の測定結果（身長、身長測定時期）を受信し、前記測定結果に応じて前記身体情報における身長、身長測定時期、体重、体重測定時期などを更新してもよい。
【００１７】
そして、前記検査支援システム１０において、前記サーバー１は、前記上位システム６の前記記憶部６１から前記ホスト側患者データ及び前記処方データなどの情報を読み出すことが可能である。前記サーバー１では、前記上位システム６から取得される前記ホスト側患者データ及び前記処方データが蓄積して記憶される。なお、前記サーバー１が、前記前記上位システム６から送信される前記ホスト側患者データ及び前記処方データなどの情報を受信することにより、前記サーバー１が前記ホスト側患者データ及び前記処方データを取得してもよい。
【００１８】
前記サーバー１が前記上位システム６から取得する前記ホスト側患者データには、例えば患者の患者コード、患者名、年齢、性別、前記入院関連情報、前記身体情報、妊娠有無、飲酒有無、喫煙有無、病棟、病名コード、病名（疾患）、担当医師、担当薬剤師、及び検査データなどが含まれる。前記患者コードは、患者を識別するための患者識別情報の一例である。
【００１９】
前記入院関連情報には、患者の患者コード、患者名、入院中であるか否か、入院日、退院日、及び転院日などの患者の入院に関する情報が含まれる。なお、前記入院関連情報は、患者が入院中であるか否かを判断することが可能な情報であればよく、他のデータ構造を有するものであってもよい。例えば、前記入院関連情報に、入院中であるか否かを直接示す情報が含まれていなくても、入院日、退院日及び転院日の情報が含まれていれば、その情報に基づいて患者が入院中であるか否かを判断することは可能である。
【００２０】
前記身体情報には、患者の患者コード、患者名、体重、体重測定時期、身長、身長測定時期などの患者の身体に関する情報が含まれる。なお、前記身体情報は、患者の身体に関する測定結果であり、体重及び身長に限らず、例えば視力、聴力、又は体脂肪率などに関する測定結果及び測定時期などが含まれていてもよい。
【００２１】
前記検査データには、患者の患者コード、患者名、検査項目を示す検査コード、検査名称、検査実施時期、及び検査結果などが含まれる。前記検査コードは、検査項目を識別するための検査項目識別情報の一例である。なお、前記検査データは、前記ホスト側患者データ及び前記処方データとは別に前記サーバー１に入力されてもよい。例えば、前記検査データは、検査を実施する検査機関から提供されるＣＤ−ＲＯＭなどの記録媒体から読み取られること、又は前記検査機関から前記サーバー１に前記通信網５を介して送信されることが考えられる。
【００２２】
前記処方データは、患者が服用する一種類又は複数種類の薬品の情報を示すものであり、例えば患者の患者コード、患者名、薬品の薬品コード、薬品名称、用量、用法、服用開始日、服用終了日などの情報が含まれる。前記薬品コードは、薬品を識別するための薬品情報の一例であり、前記薬品コードに代えてＪＡＮコード又はＹＪコードが用いられてもよい。
【００２３】
［調剤機器３］
前記調剤機器３各々は、薬品を自動調剤する機器又は薬剤師による薬品の調剤作業を支援する機器である。例えば、前記調剤機器３各々は、錠剤分包機、散薬分包機、水剤分注機、ＰＴＰシート払出装置、混注装置、又はピッキング補助装置などである。例えば、前記錠剤分包機は、複数種類の錠剤が収容された複数の薬品カセットを有し、前記サーバー１から入力される調剤用データに従って、前記薬品カセットから錠剤を払い出して１服用分ごとに分包紙で包装する分包動作を実行する。前記散薬分包機は、前記サーバー１から入力される調剤用データに従って、投入された散薬を１服用分ごとに分包紙で包装する分包動作を実行する。前記ピッキング補助装置は、前記処方データとピッキングされた薬品の前記薬品情報とを照合して薬剤師による薬品の調剤作業を支援する。
【００２４】
［プリンター４］
前記プリンター４は、前記サーバー１又は前記クライアント端末２などから入力される印刷データに含まれる情報を紙などのシートに印刷する。例えば、前記プリンター４は、前記検査支援システム１０において、処方箋、薬情、お薬手帳、薬袋、又は定期的検査管理シートなどの印刷に用いられる。なお、前記定期的検査管理シートは、薬品を服用する患者について実施すべき検査の検査項目及び検査時期などが予め定められたレイアウトで印刷される紙媒体である。
【００２５】
［クライアント端末２］
前記クライアント端末２は、制御部２１、記憶部２２、通信Ｉ／Ｆ２３、表示装置２４、操作装置２５、及びドライブ装置２６などを備えるコンピュータである。前記クライアント端末２は、薬剤師が前記処方データに基づく調剤を実施する調剤室１００又は、薬剤師が薬剤の服薬に関する指導又は確認を実施する病棟２００などに設けられる操作端末である。なお、前記クライアント端末２は、ＰＤＡ、スマートフォン、又はタブレット端末などのモバイル端末であってもよい。
【００２６】
前記制御部２１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００２７】
前記記憶部２２は、前記制御部２１によって実行される各種のアプリケーションプログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網５を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。具体的に、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００２８】
前記通信Ｉ／Ｆ２３は、前記通信網５を介して前記サーバー１、前記調剤機器３、及び前記プリンター４などの外部機器との間で、予め定められた通信プロトコルに従って無線又は有線でデータ通信を実行する通信インターフェースである。
【００２９】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００３０】
前記ドライブ装置２６は、前記ＯＳ及び前記ブラウザソフトなどのアプリケーションプログラムが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。なお、前記ドライブ装置２６は、記録媒体２６１から、前記処方データ、前記ホスト側患者データ、前記検査データなどを読み取る場合に用いられてもよい。
【００３１】
そして、前記検査支援システム１０では、ユーザーによる前記クライアント端末２の操作に応じて、例えば薬剤師の調剤業務及び薬剤師の病棟薬剤業務に関する各種情報の表示、記録、及び印刷などが実行可能である。具体的に、本実施形態では、前記サーバー１と前記クライアント端末２とによりサーバクライアントシステムが構成されており、前記サーバー１が前記クライアント端末２のユーザー操作に応じて薬剤師の調剤業務及び薬剤師の病棟薬剤業務に関する各種情報の表示、記録、及び印刷などを実行する。そのため、以下に説明する「表示」、「操作」、「選択」、及び「入力」などは、前記クライアント端末２の前記表示装置２４及び前記操作装置２５を用いて行われるものとする。
【００３２】
なお、前記クライアント端末２に、後述する前記サーバー１と同様の機能を有する制御プログラムの一部又は全部がインストールされており、前記制御部２１が、前記サーバー１から必要な情報を適宜取得して、前記調剤業務及び前記病棟薬剤業務に関する各種の表示、記録、及び印刷などを実行することも考えられる。
【００３３】
［サーバー１］
前記サーバー１は、制御部１１、記憶部１２、通信Ｉ／Ｆ１３、表示装置１４、操作装置１５、及びドライブ装置１６などを備えるコンピュータである。前記サーバー１は、前記検査支援システム１０が使用される前記医療機関の内部又は外部に設けられる。
【００３４】
前記通信Ｉ／Ｆ１３は、前記通信網５を介して前記クライアント端末２、前記調剤機器３、前記プリンター４、及び前記上位システム６などの外部機器との間で、所定の通信プロトコルに従って無線又は有線でデータ通信を実行するインターフェースである。
【００３５】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３６】
前記ドライブ装置１６は、コンピュータ読み取り可能な記録媒体１６１から検査支援プログラム又は各種の情報を読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記検査支援プログラムが前記記憶部１２に記憶される。なお、前記ドライブ装置１６は、記録媒体１６１から、前記処方データ、前記ホスト側患者データ、前記検査データなどを読み取る場合に用いられてもよい。
【００３７】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための検査支援プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。また、前記制御部１１は、時間を計時するシステムクロックを備えており、前記システムクロックから現在日時を取得することができる。そして、前記制御部１１は、前記ＣＰＵを用いて、前記ＲＯＭ、前記ＥＥＰＲＯＭ、又は前記記憶部１２に記憶されている前記検査支援プログラムに従って各種の処理を実行する。
【００３８】
例えば、前記制御部１１は、前記上位システム６から前記処方データを取得し、前記処方データを前記記憶部１２に記憶するための処理を実行する。具体的に、前記制御部１１は、予め設定されたタイミングで前記上位システム６の前記記憶部６１から前記処方データを読み出すことによって前記処方データを取得する。また、前記制御部１１は、前記記憶部６１に新たに前記処方データが記憶されたか否かを監視し、前記記憶部６１に新たに前記処方データが記憶された場合に前記処方データを取得することも考えられる。さらに、前記制御部１１は、前記記憶部６１に記憶された前記処方データと前記記憶部１２に記憶されている前記処方データとの間に差分が生じた場合に前記上位システム６から前記処方データを取得することも考えられる。なお、前記上位システム６が、前記処方データの登録又は変更に応じて前記処方データを前記サーバー１に送信することも考えられる。この場合、前記制御部１１は、前記上位システム６から送信される前記処方データを受信し、前記処方データを前記記憶部１２に記憶させる。
【００３９】
さらに、前記制御部１１は、設定処理部１１０、第１取得処理部１１１、第２取得処理部１１２、第３取得処理部１１３、第４取得処理部１１４、第５取得処理部１１５、第１判定処理部１１６、第２判定処理部１１７、第３判定処理部１１８、第４判定処理部１１９、出力処理部１２０などを含む。具体的に、前記制御部１１は、前記検査支援プログラムに従って各種の処理を実行することにより、各処理部として機能する。
【００４０】
前記設定処理部１１０は、薬品を服用する患者について実施するべき検査項目及び検査時期などを含む検査条件を操作入力に応じて任意に設定可能である。具体的に、前記設定処理部１１０は、前記検査条件を薬品ごとに個別に設定することが可能である。また、前記設定処理部１１０は、前記薬品ごとに対応する前記検査条件の内容を患者ごとに個別に設定することも可能である。具体的に、後述の薬品別検査条件情報Ｄ２１には薬品ごとの前記検査条件が登録されており、後述の患者別検査条件情報Ｄ２２には患者ごとの前記検査条件が登録されている。
【００４１】
前記第１取得処理部１１１は、患者が入院中であるか否かに関する前記入院関連情報を取得可能である。具体的に、前記第１取得処理部１１１は、前記上位システム６から前記ホスト側患者データを取得することにより前記入院関連情報を取得する。なお、前記第１取得処理部１１１は、前記ホスト側患者データのうち前記入院関連情報のみを前記上位システム６から取得してもよい。なお、前記記憶部１２に記憶されている前記ホスト側患者データから前記入院関連情報を取得してもよい。そして、前記第１取得処理部１１１は、前記入院関連情報に基づいて後述の患者マスターＤ１６（図３（Ｂ）参照）における患者が入院中であるか否か無などの情報を更新する。
【００４２】
例えば、前記第１取得処理部１１１は、前記記憶部６１から前記処方データが読み出されるタイミングで、前記入院関連情報を前記記憶部６１から読み出すことが考えられる。また、前記第１取得処理部１１１は、前記記憶部６１から前記検査データを取得するタイミングで前記入院関連情報を前記記憶部６１から読み出すことも考えられる。なお、前記第１取得処理部１１１は、予め定められた特定の時刻又は予め定められた特定の間隔などのタイミングで定期的に前記入院関連情報を前記記憶部６１から読み出してもよい。例えば、前記第１取得処理部１１１は、毎日２３時に前記入院関連情報を取得すること、又は１時間毎に前記入院関連情報を取得することが考えられる。
【００４３】
また、前記上位システム６の前記制御部６２が、前記入院関連情報又は前記身体情報の更新時などの予め定められたタイミングで前記入院関連情報又は前記身体情報を前記サーバー１に送信することも考えられる。さらに、前記上位システム６から前記サーバー１に前記処方データ又は前記検査データが送信される際に、前記入院関連情報及び前記身体情報が共に送信されてもよい。これらの場合、前記第１取得処理部１１１は、前記上位システム６からデータを受信するための処理を実行することによって前記入院関連情報を取得することが可能である。
【００４４】
前記第２取得処理部１１２は、前記処方データに含まれる前記薬品コードに対応する薬品について予め設定された検査項目及び前記検査項目の検査時期などに関する検査条件を取得可能である。前記検査条件は、前記薬品を服用する患者について実施されるべき検査の内容を示す情報であり、前記第２取得処理部１１２は、前記記憶部１２に記憶される後述の薬品別検査条件情報Ｄ２１（図４（Ａ）参照）又は患者別検査条件情報Ｄ２２（図４（Ｂ）参照）から前記検査条件を取得する。
【００４５】
前記第３取得処理部１１３は、患者の前記検査項目の検査実施時期を取得可能である。具体的に、前記第３取得処理部１１３は、前記記憶部１２に記憶されている前記検査データから前記検査実施時期を取得することが可能である。なお、前記検査データは、例えば前記検査項目各々の検査実施時期及び検査結果などを含む。また、前記第３取得処理部１１３は、前記上位システム６から前記ホスト側患者データを取得することにより前記ホスト側患者データに含まれる前記検査データから前記検査実施時期を取得してもよい。
【００４６】
前記第４取得処理部１１４は、患者が現実に薬品の服用を開始した現実服用開始日を取得可能である。前記第４取得処理部１１４は、例えば前記病棟２００に設置される前記クライアント端末２に対する前記現実服用開始日の入力操作を受け付ける。なお、前記患者各々の服薬履歴が前記記憶部１２に蓄積して記憶され、前記第４取得処理部１１４が、必要に応じて前記記憶部１２の前記服薬履歴から前記現実服用開始日を取得してもよい。
【００４７】
前記第５取得処理部１１５は、患者の身体に関する前記身体情報を取得可能である。具体的に、前記第５取得処理部１１５は、前記記憶部１２に記憶される前記ホスト側患者データから前記身体情報を取得する。また、前記第５取得処理部１１５は、前記上位システム６から前記ホスト側患者データを取得することにより前記ホスト側患者データに含まれる前記身体情報を取得してもよい。そして、前記第５取得処理部１１５は、前記身体情報に基づいて後述の患者マスターＤ１６（図３（Ｂ）参照）における身長、身長測定時期、体重、体重測定時期などの情報を更新する。
【００４８】
前記第１判定処理部１１６は、前記第１取得処理部１１１で取得される患者各々の前記入院関連情報に基づいて前記患者各々が入院中であるか否かを判定する。なお、前記第１判定処理部１１６は、前記サーバー１に前記処方データが入力されるタイミングで、前記入院関連情報に基づいて前記患者各々が入院中であるか否かを判定することが考えられる。また、前記第１判定処理部１１６は、前記検査データが入力されるタイミングで、前記入院関連情報に基づいて前記患者各々が入院中であるか否かを判定することも考えられる。なお、前記第１取得処理部１１１は、予め定められた特定の時刻又は予め定められた特定の間隔などのタイミングで判定を実行してもよい。例えば、前記第１判定処理部１１６は、毎日２３時に判定を実行すること、又は１時間毎に判定を実行することが考えられる。
【００４９】
前記第２判定処理部１１７は、前記第１判定処理部１１６によって入院中であると判定される患者について、その患者が服用する薬品に対応する前記検査項目の検査実施時期が前記検査条件を満たしているか否かを判定する。即ち、薬品を服用する患者についてその薬品を服用する場合に適した条件で検査が実施されているか否かが判断される。なお、前記第２判定処理部１１７は、前記処方データが入力されるタイミング、前記検査データが入力されるタイミング、予め定められた特定の時刻、又は予め定められた特定の間隔のいずれか一つ又は複数のタイミングで判定を実行することが考えられる。例えば、前記第２判定処理部１１７は、毎日２３時に判定を実行すること、又は１時間毎に判定を実行することが考えられる。
【００５０】
前記第３判定処理部１１８は、前記患者に対応する前記検査項目の検査結果が前記患者の身体情報に応じて予め設定された適正範囲内であるか否かを判定する。前記検査項目には、体重及び身長を用いて算出される患者のＢＭＩ（Ｂｏｄｙ  Ｍａｓｓ  Ｉｎｄｅｘ：体重／身長2）に関連する検査項目が含まれる。例えば、後述のチェック項目のうち検査値別最大量チェックでは、薬品の処方量が患者のＢＭＩの値に対応する最大量を超えていないことが確認される。
【００５１】
ところで、前記検査項目のうち前記身体情報を用いて適否が判定される検査項目について正確な判断を行うためには、前記ＢＭＩの算出に用いられる体重及び身長が適切な時期に測定されていることが前提となる。
【００５２】
これに対し、前記第４判定処理部１１９は、薬品を服用する患者の身体情報の測定時期が、予め定められた測定許容期間内であるか否かを判定する。例えば、前記許容測定期間は、前記身体情報が前記薬品の服用日を基準として適切な時期に測定された情報であるか否かを判断するために予め定められた期間である。なお、前記許容測定期間は、例えば前記医療機関ごとに予め設定される期間又は薬品の添付文書などに記載されている期間である。
【００５３】
また、前記許容測定期間は、前記身体情報のうち体重及び身長ごとに設定されている。以下、体重に対応する前記許容測定期間を体重許容測定期間と称し、身長に対応する前記許容測定期間を身長許容測定期間と称する。前記第４判定処理部１１９は、体重の測定実施時期が前記体重許容期間内であるか否かを判定し、身長の測定実施時期が前記身長許容期間内であるか否かを判定する。なお、前記体重許容測定期間及び前記身長許容測定期間が同じであってもよい。さらに、前記体重許容測定期間及び前記身長許容測定期間は、患者の年齢又は疾患（病名）ごとに設定されていてもよい。また、前記制御部１１は、前記サーバー１又は前記クライアント端末２のユーザー操作に応じて前記許容測定期間を任意に変更することが可能である。
【００５４】
前記出力処理部１２０は、前記第１判定処理部１１６、前記第２判定処理部１１７、前記第３判定処理部１１８、及び前記第４判定処理部１１９による判定結果をそれぞれ出力可能である。例えば、前記出力処理部１２０は、前記判定結果の表示、印刷、又はデータ送信の少なくとも一つを実行可能である。具体的に、前記出力処理部１２０は、前記判定結果、又は次に検査を実施すべき検査時期を示す検査期間を前記サーバー１の表示装置１４又は前記クライアント端末２の表示装置２４などに表示させることが可能である。また、前記出力処理部１２０は、前記プリンター４を用いて前記判定結果又は前記次の検査期間を処方箋、薬情、お薬手帳、薬袋、又は定期的検査管理シートなどに印刷することが可能である。さらに、前記出力処理部１２０は、前記判定結果又は前記次の検査期間を示すデータを、例えば前記上位システム６又はユーザーが保有する情報端末などに送信するデータ送信を実行することが可能である。
【００５５】
前記記憶部１２は、前記制御部１１によって実行される各種の制御プログラム及び各種のデータが記憶されるハードディスク又はＳＳＤ等の不揮発性の記憶部である。具体的に、前記記憶部１２には、プログラム記憶部１２１、マスター記憶部１２２、及びデータ記憶部１２３が含まれる。
【００５６】
前記プログラム記憶部１２１は、前記制御部１１に各種の処理を実行させるための前記検査支援プログラムが記憶される記憶領域である。なお、前記プログラム記憶部１２１には、オペレーティングシステム（ＯＳ）及びブラウザソフトなどのアプリケーションプログラムも記憶される。
【００５７】
前記マスター記憶部１２２は、検査マスターＤ１１、定期的検査マスターＤ１２、病名マスターＤ１３、薬品マスターＤ１５、患者マスターＤ１６などの各種マスター情報が記憶される記憶領域である。また、前記マスター記憶部１２２には、薬品データベースＤＢ１も記憶されている。
【００５８】
図２（Ａ）に示されるように、前記検査マスターＤ１１では、前記医療機関で実施可能な検査項目を示す実施検査コード及び実施検査名称が対応付けて登録されている。例えば、前記制御部１１は、前記実施検査コード及び前記実施検査名称を、前記上位システム６から取得する前記検査データに基づいて更新可能である。具体的に、前記制御部１１は、前記検査データに含まれる前記検査コード及び前記検査名称が前記検査マスターＤ１１に登録されていない場合に、前記検査コード及び前記検査名称を前記実施検査コード及び前記実施検査名称として登録する。また、図２（Ａ）に示されるように、前記検査マスターＤ１１では、前記実施検査コード及び前記実施検査名称に対応付けて、前記薬品データベースＤＢ１又は前記薬品マスターＤ１５で定められたＪＬＡＣ１０コード及び診療行為コードが記憶される。
【００５９】
図２（Ｂ）に示されるように、前記定期的検査マスターＤ１２では、前記薬品データベースＤＢ１で定められている検査項目を示す既定検査コード及び既定検査名称と、前記検査マスターＤ１１で定められている前記実施検査コード及び前記実施検査名称との対応関係が登録されている。例えば、前記制御部１１は、前記サーバー１及び前記クライアント端末２に対応するユーザー操作に応じて、前記既定検査コード及び前記既定検査名称と前記実施検査コード及び前記実施検査名称との対応関係を設定することが可能である。なお、前記定期的検査マスターＤ１２では、前記薬品データベースＤＢ１で定められている前記既定検査コード及び前記既定検査名称が登録されており、前記既定検査コード及び前記既定検査名称に対応する前記実施検査コード及び前記実施検査名称が登録されていないレコードでは、前記実施検査コード及び前記実施検査名称がブランクの状態である。
【００６０】
また、図２（Ｂ）にも示されるように、前記定期的検査マスターＤ１２では、前記既定検査コード及び前記既定検査名称に対応付けて、前記薬品データベースＤＢ１又は前記薬品マスターＤ１５で定められたＪＬＡＣ１０コード及び診療行為コードが記憶されている。これにより、前記制御部１１は、前記検査マスターＤ１１及び前記定期的検査マスターＤ１２各々の前記ＪＬＡＣ１０コード又は前記診療行為コードに基づいて、前記既定検査コード及び前記既定検査名称と前記実施検査コード及び前記実施検査名称との対応関係を自動的に設定することも可能である。なお、前記検査マスターＤ１１及び前記定期的検査マスターＤ１２においてＪＬＡＣ１０コード及び診療行為コードが省略されてもよい。
【００６１】
図２（Ｃ）に示されるように、前記病名マスターＤ１３では、病名を識別するために使用される病名コード及び病名が対応付けて記憶されている。例えば、前記制御部１１は、前記病名コード及び前記病名を、前記上位システム６から取得する前記ホスト側患者データに基づいて更新可能である。具体的に、前記制御部１１は、前記ホスト側患者データに含まれる前記病名コード及び前記病名が前記病名マスターＤ１３に登録されていない場合に、前記病名コード及び前記病名を前記病名マスターＤ１３に登録することが考えられる。なお、前記上位システム６における前記病名コードと前記検査支援システム１０における前記病名コードとが個別に設定されており、各々の対応関係が前記病名マスターＤ１３に登録されていることも考えられる。
【００６２】
図２（Ｄ）に示されるように、前記薬品データベースＤＢ１には、薬品ごとに、薬品コード、薬品名称、ＪＡＮコード、ＲＳＳコード、薬瓶コード、剤形、単位、比重、薬品種、配合変化、賦形薬品、注意事項、アレルギー情報、薬品分類、薬品成分、添付文書情報などの情報が対応付けて記憶されている。なお、前記薬品データベースＤＢ１は、例えば前記ドライブ装置１６によってＣＤ又はＤＶＤなどの記録媒体から読み取られ、前記マスター記憶部１２２に記憶されている。また、前記制御部１１は、前記通信網５を介して外部装置又はウェブサイトから前記薬品データベースＤＢ１を必要に応じて読み出すことが可能であってもよい。
【００６３】
また、前記添付文書情報には、薬品を服用する患者について実施されるべき検査の既定検査項目及び既定検査条件なども含まれる。具体的に、前記既定検査条件は、前記既定検査項目の検査が実施されるべき検査時期の範囲を示す検査期間又は前記検査期間を特定するための検査間隔である。特に、前記既定検査条件は、患者の年齢、性別、及び初回服用日からの経過日数のいずれか一つ又は複数の組み合わせごとに個別に定められている。なお、例えば患者の妊娠の有無などの他の指標に応じて前記既定検査項目各々の検査要否及び前記検査条件などが定められていてもよい。
【００６４】
さらに、前記添付文書情報には、薬品を服用する患者についての検査を予め定められた間隔内で実施する定期的検査の必要性を判断するための指標を示す定期的検査の必要度が含まれる。前記定期的検査の必要度は、「必要」、「推奨」、「不要」である。具体的に、前記薬品データベースＤＢ１において、前記添付文書に前記定期的検査の必要性について「必要」と記載されている薬品については「定期的検査の必要度」の項目に「必要」を示す情報として「１」が登録されている。同じく、前記薬品データベースＤＢ１において、前記添付文書に前記定期的検査の必要性について「推奨」と記載されている薬品については「定期的検査の必要度」の項目に「推奨」を示す情報として「０」が登録されている。また、前記定期的検査を行うことが不要である場合は、前記定期的検査の必要度の情報は空白である。なお、前記定期的検査の必要度の情報が「１：必要」、「０：推奨」、「２：不要」の３種類で示されていてもよい。また、前記定期的検査の要否は、前記薬品ごとではなく、前記既定検査項目ごとに定められていてもよい。
【００６５】
そして、前記薬品データベースＤＢ１は、前記検査支援システム１０において、薬品各々の添付文書の情報を前記薬品マスターＤ１５などの各種マスターに取り込む際、又は薬品各々の添付文書の情報を参照する際などに使用される。例えば、前記検査支援システム１０では、前記制御部１１が、ユーザー操作に応じて前記薬品データベースＤＢ１の一部又は全部の内容を前記薬品マスターＤ１５に反映させることが可能である。また、前記検査支援システム１０では、前記サーバー１又は前記クライアント端末２などにおけるユーザー操作に応じて前記薬品データベースＤＢ１が表示可能である。
【００６６】
図３（Ａ）に示されるように、前記薬品マスターＤ１５では、薬品ごとに、薬品コード、薬品名称、薬品分類（分類コード）、薬品成分（成分コード）、ＪＡＮコード、ＲＳＳコード、薬瓶コード、剤形、単位、比重、薬品種、配合変化、賦形薬品、注意事項、及び後述の薬品別検査条件情報Ｄ２１、ＢＭＩチェック情報Ｄ２６などが対応付けて登録されている。
【００６７】
図３（Ｂ）に示されるように、前記患者マスターＤ１６では、患者ごとに、患者コード、患者名、年齢、性別、体重、体重測定時期、身長、身長測定時期、入院フラグ、妊娠有無、飲酒有無、喫煙有無、病名、アレルギー情報、及び後述の患者別検査条件情報Ｄ２２、患者別検査情報Ｄ２３、初回服用日情報Ｄ２４、検査時期情報Ｄ２５などが対応付けて記憶されている。前記入院フラグは、患者が入院中であるか否かを示す情報であって、「１」が入院中であることを示し、「０」が入院中でないことを示す。
【００６８】
前記薬品別検査条件情報Ｄ２１及び前記患者別検査条件情報Ｄ２２は、或る薬品を服用する患者について実施すべき検査項目の検査時期を特定するための情報が含まれる。図４（Ａ）に示されるように、前記薬品別検査条件情報Ｄ２１では、薬品コード、定期的検査の有無、既定検査コード、実施検査コード、開始年齢、終了年齢、性別限定、投与前フラグ、投与後フラグ、開始実施期間、終了実施期間、及び検査間隔が対応付けて登録されている。
【００６９】
前記薬品別検査条件情報Ｄ２１における定期的検査の有無は、前記薬品データベースＤＢ１の前記定期的検査の必要度に応じて予め設定され、又はユーザー操作によって任意に設定される。例えば、薬品データベースＤＢ１の前記定期的検査の必要度が「１：必要」又は「０：推奨」である場合に、前記薬品別検査条件情報Ｄ２１における前記定期的検査の有無が「１：有り」に設定される。また、薬品データベースＤＢ１の前記定期的検査の必要度の情報が空白である場合は、前記薬品別検査条件情報Ｄ２１における前記定期的検査の有無が「０：無し」に設定される。なお、薬品データベースＤＢ１の前記定期的検査の必要度が「０：推奨」である場合に、前記薬品別検査条件情報Ｄ２１における前記定期的検査の有無が「０：無し」に設定されることも考えられる。
【００７０】
また、前記定期的検査の有無は、後述の検査条件設定画面Ｄ２（図８参照）における操作キーＡ２１１のチェックボックスに反映され、前記設定処理部１１０は、ユーザーによる前記操作キーＡ２１１の操作に応じて、前記薬品別検査条件情報Ｄ２１における前記定期的検査の有無の設定を任意に切り替えることが可能である。そして、前記制御部１１は、前記定期的検査の有無の設定が「１：有り」である薬品を後述の定期的検査チェック処理の対象とし、前記定期的検査の有無の設定が「０：無し」である薬品を後述の定期的検査チェック処理の対象から除外すると判断する。
【００７１】
前記既定検査コード及び前記実施検査コードは、前記薬品コードに対応する薬品を服用する患者について実施されるべき検査の検査項目を示す情報である。なお、本実施形態では、前記既定検査コード及び前記実施検査コードが個別に設定されている場合を例に挙げて説明するが、前記上位システム６及び前記検査支援システム１０において共通の検査コードが使用されることも他の実施形態として考えられる。
【００７２】
前記開始年齢及び前記終了年齢は、前記薬品別検査条件情報Ｄ２１の各レコードを適用する患者の年齢の範囲を示す情報である。前記性別限定は、前記薬品別検査条件情報Ｄ２１の各レコードを適用する患者の性別を示す情報である。前記投与前フラグ及び前記投与後フラグは、前記薬品別検査条件情報Ｄ２１の各レコードが、薬品の服用前及び服用後のいずれの時期の検査に適用される情報であるかを示すフラグである。
【００７３】
前記開始実施期間及び前記終了実施期間は、前記薬品別検査条件情報Ｄ２１の各レコードが適用される服用時期の範囲を示す情報であり、患者による薬品の初回服用日を基準とする期間を示す情報である。前記初回服用日は、現在よりも前に前記患者が前記薬品を服用していない場合には、前記処方データに含まれる服用開始日である。また、現在よりも前に前記患者が前記薬品を服用している場合であっても、前記患者が前記薬品を最後に服用した日が現在から予め設定された特定期間以上前である場合は、前記処方データに含まれる服用開始日が前記初回服用日である。
【００７４】
具体的に、前記投与前フラグが「１」である場合は、前記開始実施期間が、前記薬品別検査条件情報Ｄ２１の各レコードが適用される服用時期の範囲の終期を示し、前記終了実施期間が、前記薬品別検査条件情報Ｄ２１の各レコードが適用される服用時期の範囲の始期を示す。また、前記投与後フラグが「１」である場合は、前記開始実施期間が、前記薬品別検査条件情報Ｄ２１の各レコードが適用される服用時期の範囲の始期を示し、前記終了実施期間が、前記薬品別検査条件情報Ｄ２１の各レコードが適用される服用時期の範囲の終期を示す。
【００７５】
前記検査間隔は、前記薬品別検査条件情報Ｄ２１の各レコードの前記既定検査コード及び前記実施検査コードが示す検査項目に対応して予め設定された情報であり、例えば前記検査項目の検査の実施が必要な間隔を示す情報である。特に、前記検査間隔は、患者の年齢、患者の性別、及び薬品の初回服用日からの経過期間のいずれか一つ又は複数の組み合わせごとに設定されている。
【００７６】
例えば、図４（Ａ）に示される前記薬品別検査条件情報Ｄ２１のレコードＲ２１１では、薬品コードが「０００１」の薬品について、定期的検査の有無が「１」であって、既定検査コードが「０１」、実施検査コードが「０１７２」の検査項目の定期的検査が必要である旨が示されている。また、前記レコードＲ２１１では、患者の適用年齢が「０」歳〜「１５」歳であり、患者の適用性別が「両方」であることが示されている。さらに、前記レコードＲ２１１では、投与後フラグが「１」であって、開始実施期間が「０」日、終了実施期間が「３０」日であり、薬品の初回服用日の「０」日後〜「３０」日後である場合に適用される旨が示されている。そして、前記レコードＲ２１１では、前記検査間隔が「１５」日である旨が定められている。
【００７７】
また、図４（Ａ）に示される前記薬品別検査条件情報Ｄ２１のレコードＲ２１２では、薬品コードが「０００１」の薬品について、定期的検査の有無が「１」であって、既定検査コードが「０２」、実施検査コードが「０１７３」の検査項目の定期的検査が必要である旨が示されている。また、前記レコードＲ２１２では、患者の適用年齢が「０」歳以上であり、患者の適用性別が「男性」であることが示されている。さらに、前記レコードＲ２１２では、投与前フラグが「１」であって、開始実施期間が「３０」日、終了実施期間が「０」日であり、薬品の初回服用日の「０」日前〜「３０」日前について適用される旨が示されている。そして、前記レコードＲ２１２では、前記検査項目の検査が実施されるべき検査間隔が「１５」日である旨が定められている。なお、前記投与前フラグが「１」である場合であって、前記開始実施期間及び前記終了実施期間の間に１回の検査が行われていればよい場合には、前記検査間隔の設定が省略されてもよい。
【００７８】
図４（Ｂ）に示されるように、前記患者別検査条件情報Ｄ２２では、患者コード、薬品コード、定期的検査の有無、既定検査コード、実施検査コード、投与前フラグ、投与後フラグ、開始実施期間、終了実施期間、及び検査間隔が対応付けて登録されている。前記既定検査コード及び前記実施検査コードは、前記薬品コードに対応する薬品が服用される場合に患者について実施されるべき検査の検査項目を示す情報である。前記投与前フラグ及び前記投与後フラグは、前記患者別検査条件情報Ｄ２２の各レコードが、薬品の服用前及び服用後のいずれの時期の検査に適用される情報であるかを示すフラグである。
【００７９】
また、前記定期的検査の有無は、後述の患者別定期的検査マスターメンテナンス画面Ｄ３（図１１参照）における操作キーＫ３２などのユーザー操作に応じて、前記設定処理部１１０によって任意に切り替え可能である。そして、前記制御部１１は、前記定期的検査の有無の設定が「１：有り」である薬品を後述の定期的検査チェック処理の対象とし、前記定期的検査の有無の設定が「０：無し」である薬品を後述の定期的検査チェック処理の対象から除外すると判断する。
【００８０】
前記開始実施期間及び前記終了実施期間は、前記薬品別検査条件情報Ｄ２２の各レコードが適用される服用時期の範囲を示す情報であり、薬品の初回服用日を基準とする期間を示す情報である。前記検査間隔は、前記薬品別検査条件情報Ｄ２１の各レコードの前記既定検査コード及び前記実施検査コードが示す検査項目に対応して予め設定された情報であり、例えば前記検査項目の検査の実施が必要な間隔を示す情報である。
【００８１】
例えば、図４（Ｂ）に示される前記患者別検査条件情報Ｄ２２のレコードＲ２２１は、患者コードが「０００００００１」の患者について、薬品コードが「０００１」の薬品が処方される際に用いられる情報である。具体的に、前記レコードＲ２２１では、定期的検査の有無が「１」であるため、既定検査コードが「０１」であり、実施検査コードが「０１７２」の検査項目の定期的検査が必要である旨が示されている。また、前記レコードＲ２２１では、投与後フラグが「１」であって、開始実施期間が「０」日、終了実施期間が「３０」日であり、薬品の初回服用日の「０」日後〜「３０」日後である場合に適用される旨が示されている。そして、前記レコードＲ２２１では、前記検査項目の検査が実施されるべき検査間隔が「１０」日である旨が定められている。即ち、薬品コード「０００１」及び既定検査コード「０１」に対応する前記検査間隔は、前記薬品別検査条件情報Ｄ２１では「１５」日に設定されており（図４（Ａ）参照）、前記患者別検査条件情報Ｄ２２では「１０」日に設定されている（図４（Ｂ）参照）。
【００８２】
また、図４（Ｂ）に示される前記患者別検査条件情報Ｄ２２のレコードＲ２２２は、患者コードが「０００００００１」の患者について、薬品コードが「０００１」の薬品が処方される際に用いられる情報である。具体的に、前記レコードＲ２２２では、定期的検査の有無が「１」であるため、既定検査コードが「０２」であり、実施検査コードが「０１７３」の検査項目の定期的検査が必要である旨が示されている。また、前記レコードＲ２２２では、投与前フラグが「１」であって、開始実施期間が「２０」日、終了実施期間が「０」日であり、薬品の初回服用日の「０」日前〜「２０」日前について適用される旨が示されている。そして、前記レコードＲ２２２では、前記検査項目の検査が実施されるべき検査間隔が「１０」日である旨が定められている。即ち、薬品コード「０００１」及び既定検査コード「０２」に対応する前記開始実施期間は、前記薬品別検査条件情報Ｄ２１では「３０」日に設定されており（図４（Ａ）参照）、前記患者別検査条件情報Ｄ２２では「２０」日に設定されている（図４（Ｂ）参照）。また、薬品コード「０００１」及び既定検査コード「０２」に対応する前記検査間隔は、前記薬品別検査条件情報Ｄ２１では「１５」日に設定されており（図４（Ａ）参照）、前記患者別検査条件情報Ｄ２２では「１０」日に設定されている（図４（Ｂ）参照）。
【００８３】
図５（Ａ）に示されるように、前記患者別検査情報Ｄ２３では、薬品コード、薬品名称、実施検査コード、実施検査名称、定期的検査開始日、及び検査終了日が対応付けて登録されている。前記定期的検査開始日は、例えば前記処方データに示されている前記薬品コードに対応する薬品の服用開始日であり、後述の定期的検査チェックが必要となる期間の始期を示す情報である。また、前記検査終了日は、例えば前記処方データに示されている前記薬品コードに対応する薬品の服薬終了日であり、前記処方データに服用終了日が含まれていない場合は前記検査終了日が未定となる。そして、前記制御部１１は、前記患者別検査情報Ｄ２３のうち現在日時が前記定期的検査開始日から前記検査終了日の間であるレコードについて後述の定期的検査チェックが必要であると判断する。ここで、前記検査終了日が未定のレコードについては、現在日時が前記定期的検査開始日以降であるレコードが後述の定期的検査チェックが必要であると判断される。なお、前記制御部１１は、ユーザー操作に応じて、前記定期的検査開始日及び前記検査終了日の入力を受け付けることも可能である。
【００８４】
図５（Ｂ）に示されるように、前記初回服用日情報Ｄ２４では、薬品コード、薬品名称、及び初回服用日が対応付けて登録されている。前記初回服用日は、現在よりも前に前記患者が前記薬品を服用していない場合には、前記処方データに含まれる服用開始日に設定される。また、現在よりも前に前記患者が前記薬品を服用している場合であっても、前記患者が前記薬品を最後に服用した日が現在から予め設定された特定期間以上前である場合は、前記処方データに含まれる服用開始日が前記初回服用日に設定される。なお、前記特定期間は、複数の薬品に共通の期間又は薬品ごとに異なる期間である。
【００８５】
前記制御部１１は、例えば前記処方データの受信時に、前記処方データに含まれる服用開始日に応じて、前記初回服用日情報Ｄ２４の前記初回服用日を更新する。具体的に、前記処方データの受信時などの現在の処理タイミングにおいて、前記患者に対応する前記初回服用日情報Ｄ２４に既に登録されている薬品については前記患者が現在よりも前に服用している。また、前記患者に対応する前記初回服用日情報Ｄ２４に既に登録されていない薬品については前記患者が現在よりも前に服用していない。そのため、前記制御部１１は、前記処方データに含まれる薬品の情報が前記初回服用日情報Ｄ２４に登録されていない場合、前記処方データに含まれる前記服用開始日を前記初回服用日として前記薬品の情報を前記初回服用日情報Ｄ２４に登録する。また、前記制御部１１は、前記処方データに含まれる薬品の情報が前記初回服用日情報Ｄ２４に登録されている場合であっても、前記患者が前記薬品を最後に服用した日が現在から前記特定期間以上前である場合にも、前記処方データに含まれる前記服用開始日を前記初回服用日として前記薬品の情報を前記初回服用日情報Ｄ２４に登録する。なお、前記薬品の最後の服用日は、例えば前記患者の服用履歴情報などから取得可能である。また、前記制御部１１が、前記処方データを受信した場合に、前記処方データに含まれる服用終了日を前記初回服用日情報Ｄ２４に随時登録することも考えられる。これにより、前記制御部１１は、前記初回服用日情報Ｄ２４に記憶されている前記服用終了日を前記薬品の最後の服用日として取得することができる。
【００８６】
さらに、前記制御部１１は、例えば前記処方データの受信後、患者が薬品を初めて服用した場合に、その実際の服用日（現実服用時期の一例）が入力された場合、その服用日を前記初回服用日として前記初回服用日情報Ｄ２４に登録する。また、前記制御部１１は、患者の服用履歴を管理する服用管理システムから患者が実際に薬品を初めて服用した服用日の情報を取得してもよい。これにより、前記処方データで示された服用開始日と実際の服用日との間にずれが生じても、実際の服用日が前記初回服用日となるため、正確な前記初回服用日に基づく前記定期的検査が実現される。
【００８７】
図５（Ｃ）に示されるように、前記検査時期情報Ｄ２５では、実施検査コード、実施検査名称、検査間隔開始日、検査間隔終了日、検査実施有無、検査日、及び検査種別が対応付けて登録される。前記検査間隔開始日及び前記検査間隔終了日は、前記初回服用日又は前回の検査日から起算した前記検査間隔ごとの検査期間の開始日及び終了日である。前記検査実施有無は、前記検査間隔ごとの検査期間における検査の実施の有無を示す情報（１：有り、０：無し）である。前記検査種別は、前記検査項目の実施時期が服用前であるか服用後であるかを示す情報である。
【００８８】
なお、本実施形態では、前記検査項目の検査が実施されるべき検査時期の一例として検査期間を示す前記検査間隔開始日及び前記検査間隔終了日が前記検査間隔などに基づいて設定されるが、これに限らず、例えば前記検査間隔開始日又は前記検査間隔終了日のいずれか一方が前記検査時期として前記検査時期情報Ｄ２５に設定されてもよい。この場合、前記制御部１１は、後述の定期的検査チェック処理において、連続する二つの前記検査間隔開始日の間、又は連続する二つの前記検査間隔終了日の間に検査が実施されているか否かを判定することが考えられる。
【００８９】
前記制御部１１は、前記処方データ又は前記検査データが入力された場合に、前記処方データ、前記検査データ、前記薬品別検査条件情報Ｄ２１、前記患者別検査条件情報Ｄ２２、前記患者別検査情報Ｄ２３、及び前記初回服用日情報Ｄ２４などに基づいて、前記検査時期情報Ｄ２５を登録又は更新する。具体的に、前記制御部１１は、前記処方データに含まれる薬品コード各々に対応する薬品の前記検査条件が、前記処方データに対応する患者に対応する前記患者別検査条件情報Ｄ２２に登録されているか否かを判断し、前記検査条件が登録されている薬品については前記患者別検査条件情報Ｄ２２から前記検査条件を取得する。一方、前記制御部１１は、前記検査条件が前記患者別検査条件情報Ｄ２２に登録されていない薬品については、前記薬品別検査条件情報Ｄ２１から前記検査条件を取得する。ここに、係る取得処理は前記制御部１１の前記第２取得処理部１１２によって実行される。
【００９０】
なお、他の実施形態として、前記制御部１１は、前記患者のうち現在入院中である入院患者のみについて前記検査時期情報Ｄ２５を登録し、現在入院中でない患者については前記検査時期情報Ｄ２５を登録しないことが考えられる。また、前記制御部１１は、前記入院患者について退院又は転院の情報が入力された場合には、その入院患者に対応して記憶されていた前記検査時期情報Ｄ２５を削除することが考えられる。これにより、前記マスター記憶部１２２には、現在入院している入院患者のみについて前記検査時期情報Ｄ２５が登録されることになる。従って、前記制御部１１は、前記検査時期情報Ｄ２５各々に基づいて前記定期的検査チェック処理を実行することにより、現在入院中の患者のみについてその患者が服用する薬品に対応する前記検査項目の前記検査実施時期が前記検査条件を満たしているか否かを判定することが可能である。
【００９１】
そして、前記制御部１１は、患者の年齢及び性別と、薬品の服用開始日及び服用終了日と、薬品の初回服用日と、前記検査条件とに基づいて、前記検査時期情報Ｄ２５を登録又は更新する。例えば、図５（Ｃ）は、初回服用日が「２０１４／０１／０１」であって、前記検査条件における前記検査間隔が、初回服用日の０日後〜３０日後は１５日、３１日後〜９０日後は２５日、９１日以後は４５日であるときに登録される前記検査時期情報Ｄ２５の一例である。なお、前記制御部１１は、前記検査間隔終了日が前記患者別検査情報Ｄ２３の前記検査終了日を超えない範囲で前記検査時期情報Ｄ２５を登録する。また、前記患者別検査情報Ｄ２３に前記検査終了日が入力されていない場合は、例えば予め設定された期間（例えば１年又は２年など）が経過するまでの間に対応するレコードが登録される。
【００９２】
具体的に図５（Ｃ）の前記検査時期情報Ｄ２５では、初回服用日である「２０１４／０１／０１」から３０日以内に、１５日間隔で「２０１４／０１／１５」を期限として１回、「２０１４／０１／３０」を期限として１回の検査が必要である旨が規定されている。また、初回服用日である「２０１４／０１／０１」の３１日後から９０日以内に、２５日間隔で「２０１４／０２／２４」を期限として１回、「２０１４／０３／２１」を期限として１回の検査が必要である旨が規定されている。
【００９３】
一方、前記制御部１１は、前記上位システム６から前記検査データを取得した場合、前記検査データを前記記憶部１２に記憶させる。このとき、前記制御部１１は、前記記憶部１２に記憶されている前記検査データから患者の検査実施時期を取得し、前記検査時期情報Ｄ２５の前記検査間隔ごとの前記検査期間における検査の実施の有無及び検査日を更新する。これにより、前記制御部１１は、前記検査時期情報Ｄ２５を参照することにより、前記検査間隔ごとの前記検査期間における検査の実施の有無及び検査日を判断することが可能となる。
【００９４】
なお、前記制御部１１が前記検査条件として定められた前記検査間隔ごとの前記検査期間における検査の有無を判断するための手法はこれに限らない。例えば、前記制御部１１は、後述の定期的検査チェック処理において、前記検査間隔開始日及び前記検査間隔終了日が現在日時に最も近い前記検査期間における検査の有無のみを判断することも考えられる。この場合、前記制御部１１は、後述の定期的検査チェック処理の実行時に、前記処方データ、前記検査データ、前記薬品別検査条件情報Ｄ２１、前記患者別検査条件情報Ｄ２２、前記患者別検査情報Ｄ２３、及び前記初回服用日情報Ｄ２４などに基づいて、現在日時に最も近い前記検査期間を特定し、前記検査期間内における検査の有無を判断することが考えられる。
【００９５】
また、前記データ記憶部１２３は、前記処方データ及び処方チェック情報Ｄ４１などの情報が記憶される記憶領域である。前記処方チェック情報Ｄ４１は、前記処方データの適否をチェックするために前記制御部１１によって実行される処方チェックで使用される。
【００９６】
図６に示されるように、前記処方チェック情報Ｄ４１には、前記処方データについて調剤前に確認されるべき一又は複数のチェック項目が記憶されている。例えば、前記処方チェック情報Ｄ１１では、検査値別最大量チェック、アレルギーチェック、及び定期的検査チェックなどを含む２０種類のチェック項目が含まれている。なお、前記処方チェック情報Ｄ４１では、前記処方データに含まれる薬品について前記チェック項目各々の内容が適正であるか否かを判定するために前記チェック項目ごとに予め定められた判定条件が含まれる。例えば、前記チェック項目には、前記検査値別最大量チェックのように、患者の身長及び体重から算出されるＢＭＩなどに基づいて適正量などの前記判定条件が異なるチェック項目も含まれる。なお、前記薬品各々に対応する前記判定条件は、前記処方チェック情報Ｄ４１ではなく前記薬品マスターＤ１５で薬品ごとに定められていることも考えられる。
【００９７】
そして、前記制御部１１は、前記処方データについて前記チェック項目各々が適正であるか否かを前記処方チェック情報Ｄ４１に基づいて判定する処方チェック（処方鑑査）を実行する。前記処方チェックは、例えば前記サーバー１が前記上位システム６から前記処方データを取得した際、前記処方データについて調剤が開始される際、又はユーザーによる処方チェック要求時などに前記制御部１１によって実行される。前記制御部１１は、前記処方チェックのチェック結果を前記処方データに対応付けて前記記憶部１２に記録する。これにより、前記制御部１１は、前記処方データに対応する前記処方チェックのチェック結果を参照することが可能である。例えば、前記定期的検査チェックでは、前記制御部１１によって後述の定期的検査チェック処理（図１６参照）が実行され、薬品を服用する患者について、その薬品に対応付けて予め設定されている検査項目の検査が適切な時期に実施されているか否かが判断される。
【００９８】
［マスターメンテナンス処理］
前記検査支援システム１０において、前記制御部１１は、前記薬品別検査条件情報Ｄ２１及び前記患者別検査条件情報Ｄ２２を任意に設定することが可能である。具体的に、前記制御部１１は、前記薬品マスターＤ１５の登録又は変更を行うための薬品マスターメンテナンス画面Ｄ１（図７参照）を用いて前記薬品別検査条件情報Ｄ２１の設定及び変更が可能である。また、前記制御部１１は、前記患者マスターＤ１６の患者ごとの情報の登録又は変更を行うための患者別定期的検査マスターメンテナンス画面Ｄ３（図１１参照）を用いて前記患者別検査条件情報Ｄ２２の設定及び変更が可能である。なお、前記薬品別検査条件情報Ｄ２１及び前記患者別検査条件情報Ｄ２２の設定処理は、前記制御部１１の前記設定処理部１１０によって実行される。
【００９９】
ここに、図７は、前記薬品マスターメンテナンス画面Ｄ１の一例を示す図である。図７に示されるように、前記薬品マスターメンテナンス画面Ｄ１では、前記薬品マスターＤ１５における薬品各々の登録情報の編集作業又は新規入力作業などが行われる。そして、前記制御部１１は、前記薬品マスターメンテナンス画面Ｄ１に表示されている登録キーＫ１１の操作に応じて、前記薬品マスターメンテナンス画面Ｄ１に入力されている情報を前記薬品マスターＤ１５に登録する。
【０１００】
特に、前記薬品マスターメンテナンス画面Ｄ１には、現在情報が表示されている薬品に対応する前記薬品別検査条件情報Ｄ２１を表示させるための操作キーＫ１２が表示されている。前記制御部１１は、前記操作キーＫ１２の操作に応じて、前記薬品の前記薬品別検査条件情報Ｄ２１を編集するための検査条件設定画面Ｄ２を表示させる。なお、前記薬品の前記薬品別検査条件情報Ｄ２１が登録されていない場合、前記制御部１１は、前記検査条件設定画面Ｄ２をブランク状態で表示させる。例えば、前記検査条件設定画面Ｄ２は、前記薬品マスターメンテナンス画面Ｄ１上にポップアップ表示される。なお、前記薬品マスターメンテナンス画面Ｄ１の上下又は左右が拡張されて前記検査条件設定画面Ｄ２が表示されてもよい。
【０１０１】
ここに、図８は、前記検査条件設定画面Ｄ２の一例を示す図である。図８に示されるように、前記検査条件設定画面Ｄ２では、前記薬品別検査条件情報Ｄ２１が表示される。前記薬品別検査条件情報Ｄ２１には、前記薬品を服用する患者について実施されるべき検査項目、及びその検査項目の検査間隔などの検査条件が含まれる。
【０１０２】
具体的に、前記検査条件設定画面Ｄ２には、領域Ａ２１〜Ａ２３が含まれる。前記領域Ａ２１には、現在表示対象の薬品の薬品コード及び薬品名称などが表示される。また、前記領域Ａ２１には、現在表示対象の薬品についての定期的検査の有無を設定するためのチェックボックス等の操作キーＡ２１１が表示されている。前記制御部１１は、ユーザー操作に応じて前記操作キーＡ２１１のチェックの有無を切り替え、前記薬品別検査情報Ｄ２１における現在表示対象の薬品についての定期的検査の有無を切り替える。なお、前記薬品データベースＤＢ１において前記定期的検査の必要度が「１：必要」又は「０：推奨」である薬品が表示対象である場合、前記操作キーＡ２１１の初期設定状態はチェック有りの状態である。
【０１０３】
前記領域Ａ２２には、前記薬品に予め対応付けられている検査項目が表示される。前記領域Ａ２３には、前記領域Ａ２２で選択中の検査項目に対応する検査条件が表示される。即ち、前記領域Ａ２３の表示内容は、前記領域Ａ２２における検査項目の選択変更により変更される。
【０１０４】
前記領域Ａ２２では、前記既定検査コード及び前記既定検査名称と前記実施検査コード及び前記実施検査名称との対応関係が示されている。前記制御部１１は、前記領域Ａ２２に対するユーザー操作に応じて、前記既定検査コードに対応する前記実施検査コードの入力操作を受け付ける。また、前記制御部１１は、前記実施検査コードに対応する前記実施検査名称を前記検査マスターＤ１２から読み出して前記領域Ａ２２に入力する。
【０１０５】
また、前記領域Ａ２３には、３つのタブＴ２１、タブＴ２２、タブＴ２３が設けられている。そして、図８に示されるように、前記タブＴ２１が選択されている場合、前記領域Ａ２３には、前記薬品別検査情報Ｄ２１における前記検査条件を設定するための項目が表示される。
【０１０６】
具体的に、前記領域Ａ２３では、ユーザー操作に応じて、初回検査有無の設定及び定期的検査有無の選択が可能である。なお、前記制御部１１は、前記初回検査が有りに設定された場合に前記投与前フラグを「１」に設定し、前記定期的検査が有りに設定された場合に前記投与後フラグを「１」に設定する。
【０１０７】
また、前記領域Ａ２３では、ユーザー操作に応じて、患者の年齢、患者の性別、初回服用日からの経過期間、及び検査間隔各々が入力可能である。さらに、前記領域Ａ２３には、前記薬品データベースＤＢ１から前記検査条件を取り込むための操作を受け付ける操作キーＫ２１が表示されている。そして、前記制御部１１は、前記操作キーＫ２１の操作に応じて前記薬品データベースＤＢ１から現在表示対象の薬品に対応する前記検査条件を読み出して前記領域Ａ２３に反映する。これにより、前記薬品データベースＤＢ１に登録された前記検査条件が前記薬品マスターＤ１５において前記薬品に対応付けられた前記検査条件として設定されることになる。
【０１０８】
さらに、前記検査条件設定画面Ｄ２には、前記検査条件設定画面Ｄ２における入力情報を一次保存するための操作キーＫ２２が表示されている。そして、前記制御部１１は、前記操作キーＫ２２の操作に応じて前記検査条件設定画面Ｄ２における入力情報を前記記憶部１２に一時記憶し、前記検査条件設定画面Ｄ２を閉じて前記薬品マスターメンテナンス画面Ｄ１を表示させる。その後、前記制御部１１は、前記薬品マスターメンテナンス画面Ｄ１の前記操作キーＫ１１の操作に応じて、前記検査条件を含む前記薬品データの内容を前記薬品マスターＤ１５に登録する。
【０１０９】
また、図９に示されるように、前記タブＴ２２が選択されている場合、前記領域Ａ２３には、前記薬品データベースＤＢ１に登録されている前記検査条件の内容が表示される。これにより、ユーザーは、前記薬品データベースＤＢ１に登録されている前記検査条件、即ち薬品の添付情報に記載されている前記検査条件を容易に参照することができる。なお、前記領域Ａ２３に表示される定期的検査情報には、例えば薬品の添付文書の記載内容がそのまま表示される。より具体的に、前記領域Ａ２３における前記定期的検査情報の表示欄には、少なくとも当該薬品についての定期的検査の要否を判断するための指標として添付文書に「必要」又は「推奨」が記載されている場合にはその旨が表示される。これにより、ユーザーは、当該薬品についての定期的検査の必要度を判断することが可能である。例えば、ユーザーは、前記定期的検査情報の表示欄に「定期的検査：必要」が表示されている場合には定期的検査の必要度が最も高く、「定期的検査：推奨」が表示されている場合には定期的検査の必要度がその次に高く、「定期的検査：必要」及び「定期的検査：推奨」が表示されていない場合には定期的検査の必要度が低いと判断する。
【０１１０】
また、図１０に示すように、前記タブＴ２３が選択されている場合、前記領域Ａ２３には、前記ＢＭＩチェック情報Ｄ２６を設定するための項目が表示される。ここに、図１５は、前記ＢＭＩチェック情報Ｄ２６の一例を示す図である。図１５に示すように前記ＢＭＩチェック情報Ｄ２６には、前記薬品コード、前記体重許容測定期間、前記身長許容測定期間、ＢＭＩ上限、及びＢＭＩ下限の情報が含まれる。なお、前記ＢＭＩチェック情報Ｄ２６は、薬品ごと又は検査項目ごとに予め設定されるが、全ての薬品及び検査項目に共通であってもよい。
【０１１１】
前記領域Ａ２３には、身体情報設定部Ａ２４１とＢＭＩ設定部Ａ２４２とが表示されている。前記身体情報設定部Ａ２４１には、体重及び身長ごとに、「期間」、「エラー区分」、「エラーコメント」が表示されている。そして、前記制御部１１は、前記身体情報設定部Ａ２４１及び前記ＢＭＩ設定部Ａ２４２におけるユーザー操作に応じて前記身体情報設定部Ａ２４１及び前記ＢＭＩ設定部Ａ２４２に表示されている情報を前記ＢＭＩチェック情報Ｄ２６に設定可能である。
【０１１２】
具体的に、体重に対応する「期間」は、前記ＢＭＩチェック情報Ｄ２６における体重許容測定期間に対応し、身長に対応する「期間」は、前記ＢＭＩチェック情報Ｄ２６における身長許容測定期間に対応する。同じく、前記ＢＭＩ設定部Ａ２４２には、上限及び下限ごとに、「値」、「エラー区分」、「エラーコメント」が表示されている。上限に対応する「値」は、前記ＢＭＩチェック情報Ｄ２６におけるＢＭＩ上限に対応し、下限に対応する「値」は、前記ＢＭＩチェック情報Ｄ２６におけるＢＭＩ下限に対応する。
【０１１３】
次に、図１１は、前記患者別定期的検査マスターメンテナンス画面Ｄ３の一例を示す図である。なお、前記制御部１１は、前記患者マスターＤ１６の編集が行われる患者マスター編集画面（不図示）などにおける所定操作に応じて前記患者別定期的検査マスターメンテナンス画面Ｄ３を表示させる。図１１に示されるように、前記患者別定期的検査マスターメンテナンス画面Ｄ３では、前記患者別検査情報Ｄ２３が表示される。
【０１１４】
具体的に、前記患者別定期的検査マスターメンテナンス画面Ｄ３では、患者が服用する薬品のうちその薬品を服用する場合に検査の実施が必要な薬品の一覧がその検査内容と共に表示されている。即ち、前記患者別定期的検査マスターメンテナンス画面Ｄ３には、後述の定期的検査チェック処理の対象となる薬品の一覧が表示される。なお、前記患者別定期的検査マスターメンテナンス画面Ｄ３では、過去の検査の表示の有無も変更可能である。また、前記患者別定期的検査マスター登録画面Ｄ３において、前記患者別検査条件情報Ｄ２２が登録されているレコードには、「個別」の欄に「○」が表示されることによりその旨が明示される。
【０１１５】
また、前記患者別定期的検査マスターメンテナンス画面Ｄ３には、患者ごとに対応する前記患者別検査条件情報Ｄ２２を設定するための操作キーＫ３２が表示されている。そして、前記制御部１１は、前記患者別定期的検査マスターメンテナンス画面Ｄ３に表示されている前記実施検査コードのいずれかに対応するレコードが選択された状態で、前記操作キーＫ３２が操作されると、前記レコードの前記実施検査コードに対応する検査項目について、前記検査条件を個別に設定するための個別条件設定画面（不図示）を表示させる。なお、前記個別条件設定画面（不図示）は、前記検査条件設定画面Ｄ２における前記領域Ａ２３と同様の内容であるため、図示及び説明を省略する。
【０１１６】
その後、前記制御部１１は、前記個別条件設定画面（不図示）において保存操作が行われた後、前記患者別定期的検査マスターメンテナンス画面Ｄ３に表示されている操作キーＫ３１の操作に応じて、前記個別条件設定画面（不図示）で入力されていた検査条件を前記患者に対応付けて前記患者別検査条件情報Ｄ２２に登録する。なお、前記制御部１１は、前記患者別定期的検査マスターメンテナンス画面Ｄ３において、前記患者別検査情報Ｄ２３のレコードを新規追加するための操作を受け付けることも可能である。これにより、ユーザーは、前記薬品別検査条件情報Ｄ２１に実施が必要な検査項目として登録されていない検査項目などについても前記患者別検査条件情報Ｄ２２に登録することができる。
【０１１７】
［一括設定機能］
また、前記検査支援システム１０では、前記設定処理部１１０が、前記薬品データベースＤＢ１から複数の薬品についての前記薬品マスターＤ１５及び前記薬品別検査条件情報Ｄ２１を纏めて初期登録することが可能な一括設定機能を有する。また、前記設定処理部１１０は、前記一括設定機能により、前記薬品マスターＤ１５及び前記薬品別検査条件情報Ｄ２１に既に登録されている複数の薬品の検査条件を、前記薬品データベースＤＢ１から纏めて取り込んで更新することも可能である。
【０１１８】
以下、前記設定処理部１１０が前記一括設定機能を具現するために実行する処理の一例について説明する。まず、前記設定処理部１１０は、薬品の情報を前記薬品データベースＤＢ１から取り込むためのユーザー操作が前記クライアント端末２に対して行われた場合に、図１２に示される初期取込画面Ｄ９を前記クライアント端末２の表示装置２４に表示させる。前記初期取込画面Ｄ９には、操作キーＫ２１１〜Ｋ２１５などが表示されている。
【０１１９】
前記操作キーＫ２１１、Ｋ２１２は、前記薬品データベースＤＢ１から薬品の情報を取り込む際の条件を選択するために、いずれか一方が択一的に選択可能なチェックボックスである。前記操作キーＫ２１１は、前記薬品データベースＤＢ１に記憶されている全ての薬品の情報から前記検査条件を含む全ての情報を取り込む際に選択される。前記操作キーＫ２１２は、前記薬品データベースＤＢ１に記憶されている全ての薬品の情報から前記検査条件の情報のみを取り込む際に選択される。
【０１２０】
前記操作キーＫ２１３、Ｋ２１４は、今回の取込対象となる薬品の抽出条件として、前記定期的検査の必要度を選択するためのユーザー操作を受け付けるチェックボックスである。なお、前記操作キーＫ２１３、Ｋ２１４は、複数選択が可能である。前記操作キーＫ２１３は、前記薬品データベースＤＢ１における前記定期的検査の必要度が「１：必要」である薬品の検査条件を取り込む際に選択される。前記操作キーＫ２１４は、前記薬品データベースＤＢ１における前記定期的検査の必要度が「０：推奨」である薬品の検査条件を取り込む際に選択される。なお、本実施形態では、定期的検査の必要度の判断指標が、「必要」、「推奨」の２段階で定義されている場合を例に挙げて説明するがこれに限らず前記必要度は少なくとも２段階以上であればよい。
【０１２１】
前記操作キーＫ２１５は、前記薬品データベースＤＢ１からの情報の取り込みを開始させるための操作キーである。そして、前記操作キーＫ２１６が操作されると、前記設定処理部１１０は、前記操作キーＫ２１１〜Ｋ２１４の選択結果に応じて、前記薬品データベースＤＢ１から薬品の情報を取り込んで前記薬品マスターＤ１５及び前記薬品別検査条件情報Ｄ２１の内容を更新する。
【０１２２】
具体的に、前記操作キーＫ２１１が選択されている場合は、前記薬品データベースＤＢ１から全ての薬品の全情報が取り込まれて前記薬品マスターＤ１５及び前記薬品別検査条件情報Ｄ２１に登録される。なお、この場合には、前記操作キーＫ２１３、Ｋ２１４は選択の必要がないため、例えば前記制御部１１が前記操作キーＫ２１３、Ｋ２１４をグレーアウト表示などによって選択不能にしてもよい。
【０１２３】
一方、前記操作キーＫ２１２が選択されている場合は、前記薬品データベースＤＢ１から前記操作キーＫ２１３、Ｋ２１４で選択された条件に該当する薬品について前記検査条件の情報のみが取り込み対象として選択される。この場合、前記操作キーＫ２１３、Ｋ２１４は選択可能な状態となっている。そして、前記設定処理部１１０は、前記操作キーＫ２１５が操作されると、前記操作キーＫ２１３、Ｋ２１４のうち選択されている操作キーに対応する前記必要度に該当する薬品についての前記検査条件を読み出し、その薬品の前記薬品別検査条件情報Ｄ２１（図４（Ａ）参照）として設定する。
【０１２４】
具体的に、前記操作キーＫ２１３が選択されている場合は、前記薬品データベースＤＢ１における前記定期的検査の必要度が「１：必要」である薬品について前記検査条件が取り込まれる。また、前記操作キーＫ２１４が選択されている場合は、前記薬品データベースＤＢ１における前記定期的検査の必要度が「０：推奨」である薬品について前記検査条件が取り込まれる。一方、前記操作キーＫ２１３が選択され、前記操作キーＫ２１４が選択されていない場合には、前記薬品データベースＤＢ１における前記定期的検査の必要度が「０：推奨」である薬品については前記検査条件が取り込まれない。同じく、前記操作キーＫ２１３が選択されず、前記操作キーＫ２１４が選択されている場合には、前記薬品データベースＤＢ１における前記定期的検査の必要度が「１：必要」である薬品については前記検査条件が取り込まれない。
【０１２５】
即ち、前記定期的検査の必要度として選択された「１：必要」及び「０：推奨」のいずれか一方又は両方の薬品について、前記定期的検査の有無が「１：有り」に設定され、前記検査条件が取り込まれる。従って、前記薬品データベースＤＢ１に登録されている薬品のうち前記定期的検査の必要度が「０：推奨」である薬品を除き、前記定期的検査の必要度が「１：必要」である薬品の前記検査条件のみを一挙に取り込むことが可能である。なお、前記操作キーＫ２１３は省略され、前記操作キーＫ２１４が前記定期的検査の必要度が推奨である薬品の情報を取り込むか否かを選択するための操作キーであってもよい。
【０１２６】
ところで、前記定期的検査の必要度は、薬品単位ではなく検査項目単位で設定されていることが考えられる。この場合、前記薬品データベースＤＢ１において薬品に対応する前記定期的検査の検査項目各々について個別に前記定期的検査の必要度が設定されている場合には、ユーザー操作で選択された前記定期的検査の必要度に該当する前記検査項目各々の前記定期的検査の必要度及び前記検査条件が前記薬品データベースＤＢ１から取り込まれることが考えられる。さらに、例えば前記検査条件設定画面Ｄ２（図８参照）において、表示対象の薬品について、前記定期的検査の必要度が「必要」及び「推奨」のいずれか一方又は両方が選択され、その必要度に該当する前記検査項目のみについて前記定期的検査の必要度及び前記検査条件が前記薬品データベースＤＢ１から取り込まれてもよい。
【０１２７】
［処方データの処理フロー］
次に、図１３を参照しつつ、前記検査支援システム１０における前記処方データの処理フローの概略について説明する。
【０１２８】
＜処方受信処理Ｓ１００＞
前記上位システム６から前記サーバー１に前記処方データが入力されると、前記処方データは処方受信処理Ｓ１００の処理対象となる。前記処方受信処理Ｓ１００では、前記サーバー１の前記制御部１１により、前記処方データについて前記定期的検査チェック及び前記アレルギーチェックなどを含む前記処方チェックが実行されると共に、前記処方データが病棟側鑑査及び調剤側鑑査の対象であるか否かが判定される。
【０１２９】
そして、前記病棟側鑑査の対象であると判定されると、前記処方データは、調剤対象として発行されることなく病棟側鑑査処理Ｓ２００の処理対象となる。また、前記調剤側鑑査の対象であると判定された場合、前記処方データは、調剤対象として発行されることなく調剤側鑑査処理Ｓ４００の処理対象となる。なお、前記病棟側鑑査及び前記調剤側鑑査の対象でないと判定されると、前記処方データは、調剤対象として発行されて調剤保留判定処理Ｓ５００の処理対象となる。
【０１３０】
＜病棟側鑑査処理Ｓ２００＞
前記病棟側鑑査処理Ｓ２００において、前記制御部１１は、前記処方チェックの判定結果がエラーである場合、前記処方チェックのエラーを前記クライアント端末２の表示装置２４に表示してエラーを報知する。そして、前記制御部１１は、薬剤師により前記クライアント端末２を用いて入力される前記処方データの鑑査結果に応じて処理を分岐する。具体的に、前記処方データの鑑査結果に問題がない旨の発行操作が行われると、前記処方データは、調剤対象として発行されて調剤保留判定処理Ｓ５００の処理対象となる。一方、前記処方データの鑑査結果に問題がある場合であって医師に対する疑義照会により処方データが修正（再発行）される旨のＮＧ発行操作が行われると、前記処方データは破棄処理Ｓ３００の対象となる。
【０１３１】
＜破棄処理Ｓ３００＞
前記破棄処理Ｓ３００では、前記処方データが破棄される。なお、前記破棄処理Ｓ３００では、前記処方データを破棄することなく前記処方データの状態を発行操作ができない無効状態とされ、修正後（再発行後）の処方データが入力された場合に、前記処方データが上書きされることも考えられる。
【０１３２】
＜調剤側鑑査処理Ｓ４００＞
前記調剤側鑑査処理Ｓ４００において、前記制御部１１は、前記処方チェックの判定結果がエラーである場合、前記処方チェックのエラーを前記クライアント端末２の表示装置２４に表示してエラーを報知する。そして、前記制御部１１は、薬剤師により前記クライアント端末２を用いて入力される前記処方データの鑑査結果に応じて処理を分岐する。具体的に、前記処方データの鑑査結果に問題がない旨の発行操作が行われると、前記処方データは、調剤対象として発行されて調剤保留判定処理Ｓ５００の処理対象となる。一方、前記処方データの鑑査結果に問題がある場合であって医師に対する疑義照会により処方データが修正（再発行）される旨のＮＧ発行操作が行われると、前記処方データは前記破棄処理Ｓ３００の処理対象となる。
【０１３３】
＜調剤保留判定処理Ｓ５００＞
前記調剤保留判定処理Ｓ５００では、前記処方データを前記保留条件に従って調剤開始前の状態で保留させる。例えば、前記保留条件は、前記処方データの処方箋区分（定期、臨時、外来など）が「定期」であること、又は前記病棟側鑑査が行われたことなどである。ここで、前記保留条件が充足する場合、前記処方データは、調剤開始前の状態で保留されて締め管理処理Ｓ６００の処理対象となる。また、前記保留条件が充足しない場合、前記処方データは前記調剤処理Ｓ７００の処理対象となる。
【０１３４】
＜締め管理処理Ｓ６００＞
前記締め管理処理Ｓ６００では、前記調剤保留判定処理Ｓ５００で保留された前記処方データについての調剤開始の有無が管理される。具体的に、前記処方データについて発行操作が行われた場合、又は前記処方データについて予め設定された発行時期が到来した場合、前記処方データは、調剤処理Ｓ７００の処理対象となる。
【０１３５】
＜調剤処理Ｓ７００＞
前記調剤処理Ｓ７００では、前記処方データに基づいて薬品の調剤を行うための調剤用データが生成され、前記記憶部１２の前記共有データフォルダに記憶される。これにより、前記調剤機器３各々が、前記共有データフォルダから前記調剤用データを取得し、前記調剤用データに基づいて薬品の調剤を実行する。なお、前記サーバー１から前記調剤機器３各々に前記調剤用データが入力されることにより前記調剤機器３各々による調剤が開始されてもよい。また、前記制御部１１は、薬剤師が前記処方データに基づいて薬品をピッキングするために必要なピッキング情報を前記プリンター４で印刷し、又は前記ピッキング情報を前記ピッキング補助装置に送信することも考えられる。
【０１３６】
［定期的検査管理処理］
以下、図１４を参照しつつ、前記検査支援システム１０で前記制御部１１によって実行される定期的検査管理処理について説明する。
【０１３７】
＜ステップＳ１＞
ステップＳ１において、前記制御部１１は、前記処方データを取得したか否かを判断する。ここで、前記処方データを取得したと判断すると（Ｓ１：Ｙｅｓ）、処理はステップＳ２に移行し、前記処方データを取得していないと判断すると（Ｓ１：Ｎｏ）、処理はステップＳ４に移行する。
【０１３８】
＜ステップＳ２＞
ステップＳ２において、前記制御部１１は、前記患者マスターＤ１６に基づいて、前記処方データに対応する患者が入院患者であるか否かを判断する。具体的に、前記患者マスターＤ１６における入院フラグが１である患者は入院患者であると判断する。ここで、患者が入院中であると判断されると（Ｓ２：Ｙｅｓ）、処理がステップＳ２０１に移行し、入院中でないと判断されると（Ｓ２：Ｎｏ）、処理がステップＳ３に移行する。なお、前記患者マスターＤ１６における入院フラグの情報は、後述のステップＳ４において、前記上位システム６から取得される前記ホスト側患者データに含まれる前記入院関連情報に基づいて適宜更新される。
【０１３９】
＜ステップＳ２０１＞
ステップＳ２０１において、前記制御部１１は、前記処方データに基づいて前記初回服用日情報Ｄ２４を更新する。具体的に、前記制御部１１は、前記処方データの受信時に、前記初回服用日情報Ｄ２４に前記初回服用日が登録されていない薬品が前記処方データに処方薬として存在する場合、その薬品に対応する前記服用開始日を前記初回服用日として登録する。また、前記処方データの受信時に、前記処方データにおける服用開始日が前記特定期間の経過後である薬品が前記処方データに処方薬として存在する場合、前記制御部１１は、その薬品に対応する前記服用開始日を前記初回服用日として更新する。これにより、前記初回服用日情報Ｄ２４には、患者の薬品ごとの初回服用日が登録されることになる。
【０１４０】
＜ステップＳ２０２＞
ステップＳ２０２において、前記制御部１１は、前記患者に対応する前記検査時期情報Ｄ２５を更新する。具体的に、前記制御部１１は、前記処方データ、前記患者マスターＤ１６、前記薬品別検査条件情報Ｄ２１、前記患者別検査情報Ｄ２３、及び前記初回服用日情報Ｄ２４などに基づいて前記検査時期情報Ｄ２５を設定する。また、前記患者別検査条件情報Ｄ２２が設定されている場合には、前記薬品別検査条件情報Ｄ２１に代えて前記患者別検査条件情報Ｄ２２に基づいて前記検査時期情報Ｄ２５が設定される。具体的に、図５（Ｃ）に示されるように、前記検査時期情報Ｄ２５には、実施検査コード、実施検査名称、検査間隔開始日、検査間隔終了日、検査実施有無、検査日、検査種別などの情報が含まれる。
【０１４１】
前記ステップＳ２０２において、前記制御部１１は、受信した前記処方データに対応する薬品各々に対応する前記定期的検査の要否を、前記薬品別検査条件情報Ｄ２１又は前記患者別検査条件情報Ｄ２２における前記定期的検査の有無の情報に基づいて判断する。そして、前記定期的検査が必要であると判断された場合、前記制御部１１は、前記初回服用日又は前回の検査日を基準として、前記薬品別検査条件情報Ｄ２１又は前記患者別検査条件情報Ｄ２２の開始実施期間、終了実施期間、及び検査間隔などに基づいて、検査間隔開始日及び検査間隔終了日を算出して前記検査時期情報Ｄ２５に設定する。
【０１４２】
ここで、図１８（Ａ）〜図１８（Ｃ）を参照しつつ前記検査時期情報Ｄ２５の設定手法の一例として第１の設定手法〜第３の設定手法について説明する。ここでは、前記検査時期情報Ｄ２５が未登録の場合であって、対象となる薬品に対応する前記投与後フラグが「１」であり、対象となる患者に対応する前記初回服用日が「２０１４／０１／０１」であるとする。また、前記開始実施期間が０日で前記終了実施期間が２５日である算定期間Ａ１（２０１４／０１／０１〜２０１４／０１／２５）に対応する前記検査間隔が１５日であるとする。さらに、前記開始実施期間が２６日、前記終了実施期間が９０日である算定期間Ａ２（２０１４／０１／２６〜２０１４／０４／０１）に対応する前記検査間隔が２５日であるとする。なお、この場合、前記検査時期情報Ｄ２５における各検査期間に対応する前記検査種別は「１」に設定される。また、前記投与前フラグが「１」である場合にも同様に、前記検査時期情報Ｄ２５に、前記初回服用日から遡って各検査期間として前記検査間隔開始日及び前記検査間隔終了日の組み合わせが設定されて前記検査種別が「０」に設定される。
【０１４３】
第１の設定手法では、前記制御部１１が、前記検査期間の開始日が属する前記開始実施期間及び前記終了実施期間の組み合わせに対応する前記検査間隔で前記検査期間を設定する。具体的には、図１８（Ａ）に示されるように、前記初回服用日（２０１４／０１／０１）を基準に、前記開始実施期間、前記終了実施期間、及び前記検査間隔に基づいて、検査間隔開始日（２０１４／０１／０１）から、前記算定期間Ａ１に対応する前記検査間隔である１５日経過後の検査間隔終了日（２０１４／０１／１５）までの検査期間ｅ１が設定される。その後、検査間隔開始日（２０１４／０１／１６）から、前記算定期間Ａ１に対応する前記検査間隔である１５日経過後の検査間隔終了日（２０１４／０１／３０）までの検査期間ｅ２、検査間隔開始日（２０１４／０１／３１）から、前記算定期間Ａ２に対応する前記検査間隔である２５日経過後の検査間隔終了日（２０１４／０２／２４）までの検査期間ｅ３、検査間隔開始日（２０１４／０２／２５）から前記検査間隔である２５日経過後の検査間隔終了日（２０１４／０３／２１）までの検査期間ｅ４などが設定される。
【０１４４】
第２の設定手法では、前記制御部１１が、前記検査期間の終了日が属する前記開始実施期間及び前記終了実施期間の組み合わせに対応する前記検査間隔で前記検査期間を設定する。具体的には、図１８（Ｂ）に示されるように、前記初回服用日（２０１４／０１／０１）を基準に、前記開始実施期間、前記終了実施期間、及び前記検査間隔に基づいて、検査間隔開始日（２０１４／０１／０１）から、前記算定期間Ａ１に対応する前記検査間隔である１５日経過後の検査間隔終了日（２０１４／０１／１５）までの検査期間ｅ１が設定される。その後、検査間隔開始日（２０１４／０１／１６）から、前記算定期間Ａ２に対応する前記検査間隔である２５日経過後の検査間隔終了日（２０１４／０２／０９）までの検査期間ｅ１１、検査間隔開始日（２０１４／０２／１０）から、前記算定期間Ａ２に対応する前記検査間隔である２５日経過後の検査間隔終了日（２０１４／０３／０６）までの検査期間ｅ１２などが設定される。
【０１４５】
第３の設定手法では、前記制御部１１が、前記第１の設定手法と同様に、前記検査期間の開始日が属する前記開始実施期間及び前記終了実施期間の組み合わせに対応する前記検査間隔で前記検査期間を設定する。但し、前記第３の設定手法では、前記制御部１１が、前記検査期間の終了日が属する前記開始実施期間及び前記終了実施期間の間の算定期間が、前記検査期間の開始日が属する前記開始実施期間及び前記終了実施期間の間の算定期間の次の算定期間である場合には、前者の算定期間における前記終了実施期間を検査間隔終了日として設定し、その検査間隔終了日から前記検査間隔だけ遡った日を検査間隔開始日として設定する。具体的には、図１８（Ｃ）に示されるように、前記初回服用日（２０１４／０１／０１）を基準に、前記開始実施期間、前記終了実施期間、及び前記検査間隔に基づいて、検査間隔開始日（２０１４／０１／０１）から、前記算定期間Ａ１に対応する前記検査間隔である１５日経過後の検査間隔終了日（２０１４／０１／１５）までの検査期間ｅ１が設定される。その後、検査間隔開始日（２０１４／０１／１６）から、前記算定期間Ａ１に対応する前記検査間隔である１５日経過後の検査間隔終了日を算出すると、その検査間隔終了日は「２０１４／０１／３０」となり前記算定期間Ａ１を超えて前記算定期間Ａ２に属することになる。そのため、前記制御部１１は、前記算定期間Ａ１の前記実施終了期間（２０１４／０１／２５）を前記検査間隔終了日とし、その検査間隔終了日から前記算定期間Ａ１に対応する前記検査間隔である１５日だけ遡った日（２０１４／０１／１１）が前記検査間隔開始日となる検査期間ｅ２１を設定する。その後、検査間隔開始日（２０１４／０１／２６）から、前記算定期間Ａ２に対応する前記検査間隔である２５日経過後の検査間隔終了日（２０１４／０２／１９）までの検査期間ｅ２２、検査間隔開始日（２０１４／０２／２０）から、前記算定期間Ａ２に対応する前記検査間隔である２５日経過後の検査間隔終了日（２０１４／０３／１６）までの検査期間ｅ２３などが設定される。また、前記制御部１１は、前記検査期間ｅ２１と同様に、前記算定期間Ａ２の前記実施終了期間（２０１４／０４／０１）を前記検査間隔終了日とし、その検査間隔終了日から前記算定期間Ａ２に対応する前記検査間隔である２５日だけ遡った日（２０１４／０３／０７）が前記検査間隔開始日となる検査期間ｅ２４を設定する。
【０１４６】
そして、前記制御部１１は、前記第１の設定手法〜前記第３の設定手法などの設定手法によって前記検査時期情報Ｄ２５を設定した後、前記検査時期情報Ｄ２５における２回目以降の検査期間については実際の検査日に応じて更新する。具体的に、前記制御部１１は、前記検査実施時期が入力された場合に、その検査実施時期の翌日を次の前記検査期間の開始日として、その後の前記検査期間各々を設定することが考えられる。即ち、前記制御部１１は、前記初回服用日と前記検査実施時期と前記検査条件とに基づいて次以降の検査期間を更新する。
【０１４７】
例えば、図５（Ｃ）に示す前記検査時期情報Ｄ２５が既に登録されている場合に、図５（Ｄ）に示されるように「２０１４／０１／１３」に最初の検査が実施された場合を考える。この場合、図５（Ｄ）に示されているように、２回目以降の前記検査期間の前記検査間隔開始日及び前記検査間隔終了日が、「２０１４／０１／１６」及び「２０１４／０１／３０」から「２０１４／０１／１４」及び「２０１４／０１／２８」に更新される。同様に、３回目以降の前記検査期間についても「２０１４／０１／２９」及び「２０１４／０２／２２」、「２０１４／０２／２３」及び「２０１４／０３／２０」にそれぞれ更新される。このように、前記制御部１１が、前記初回服用日だけでなく、実際に検査が行われた前記検査実施時期を考慮して前記検査時期情報Ｄ２５を更新するため、前記検査支援システム１では、前記検査間隔内で検査が実施されたか否かを、より正確に管理することが可能である。
【０１４８】
なお、本実施形態では、前記検査間隔開始日及び前記検査間隔終了日が、前記検査実施時期に基づいて適宜更新される場合について説明するが、他の実施形態として、前記検査実施時期にかかわらず前記初回服用日に基づいて前記検査間隔開始日及び前記検査間隔終了日が設定されることも考えられる。即ち、図１８（Ａ）〜図１８（Ｃ）を用いて説明したように前記検査時期情報Ｄ２５が設定された後、前記検査実施時期に応じて前記検査時期情報Ｄ２５に前記検査日が入力された場合であっても前記検査時期情報Ｄ２５が更新されないことが考えられる。この場合には、実際の検査日の間隔が前記検査間隔以上になることがあるが、前記初回服用日から起算した前記検査間隔開始日及び前記検査間隔終了日の各期間内における検査の有無を簡単な処理で管理することが可能である。
【０１４９】
その後、前記制御部１１は、処理をステップＳ８に移行させて定期的検査チェック処理を実行する。即ち、前記検査支援システム１０では、入院患者の処方データが入力された場合には（Ｓ２：Ｙｅｓ）、前記定期的検査チェック処理が実行され、前記処方データに処方薬として含まれる薬品に対応する前記検査項目各々の検査が適切な時期に実施されているか否かが判断される。なお、外来患者について処方データが入力された場合には（Ｓ２：Ｎｏ）、前記定期的検査チェック処理が実行されない。
【０１５０】
＜ステップＳ３＞
ステップＳ３において、前記制御部１１は、前記ホスト側患者データを取得したか否かを判断する。ここで、前記ホスト側患者データを取得したと判断されると（Ｓ３：Ｙｅｓ）、処理がステップＳ４に移行し、前記ホスト側患者データを取得していないと判断されると（Ｓ３：Ｎｏ）、処理がステップＳ６に移行する。
【０１５１】
＜ステップＳ４＞
ステップＳ４において、前記制御部１１は、前記ホスト側患者データに基づいて前記患者マスターＤ１６を更新する。具体的に、前記制御部１１は、前記ホスト側患者データに含まれる前記入院関連情報及び前記身体情報に基づいて、前記患者マスターＤ１６における患者の体重、体重測定時期、身長、身長測定時期、入院中であるか否かなどの情報を更新する。なお、前記患者マスターＤ１６と前記ホスト側患者データとの差分だけが更新されてもよい。
【０１５２】
＜ステップＳ５＞
ステップＳ５において、前記制御部１１は、前記ホスト側患者データに基づいて前記検査時期情報Ｄ２５を更新し、処理を前記ステップＳ１に戻す。具体的に、前記制御部１１は、前記ホスト側患者データに含まれる前記検査データに基づいて、前記検査時期情報Ｄ２５における検査実施有無及び検査日を設定すると共に、前記ステップＳ２０２と同様に、前記検査日に基づいて前記検査時期情報Ｄ２５における次以降の前記検査間隔開始日及び前記検査間隔終了日を設定する。
【０１５３】
また、前記ステップＳ２０２又は前記ステップＳ５において、前記制御部１１は、前記検査時期情報Ｄ２５の更新後、又はユーザー操作に応じて、前記検査時期情報Ｄ２５に含まれる次の検査期間を出力することも可能である。さらに、前記制御部１１は、前記検査時期情報Ｄ２５に含まれる次以降の複数の検査期間を出力することが可能であってもよい。ここで、前記検査期間の出力には、表示、印刷、メール送信などが含まれる。例えば、前記検査期間の出力態様は、図１８（Ａ）〜図１８（Ｃ）のように前記検査期間各々を模式的に示すものであってもよく、図５（Ｃ）、図５（Ｄ）、図１１のようなリスト表示であってもよい。なお、係る出力処理は前記制御部１１の出力処理部１２０によって実行される。
【０１５４】
＜ステップＳ６＞
一方、ステップＳ６において、前記制御部１１は、前記定期的検査チェックの実行タイミングであるか否かを判断する。ここで、前記定期的検査チェックの実行タイミングであると判断されると（Ｓ６：Ｙｅｓ）、処理がステップＳ７に移行し、前記定期的検査チェックの実行タイミングでないと判断されると（Ｓ６：Ｎｏ）、処理が前記ステップＳ１に戻される。
【０１５５】
例えば、前記定期的検査チェックの実行スケジュールが予め定められている場合には、前記実行スケジュールに従って前記定期的検査チェックの実行タイミングが判断される。具体的に、前記定期的検査チェックの実行スケジュールは、毎日の営業時間終了時又は営業時間開始時などであることが考えられる。なお、前記定期的検査チェックの実行スケジュールは、例えば１時間ごと、１週間ごと、又は１月ごとなどの予め設定された任意の間隔であってもよい。
【０１５６】
＜ステップＳ７＞
ステップＳ７において、前記制御部１１は、後述の定期的検査チェック処理の対象となる患者を抽出する処理を実行する。具体的に、前記制御部１１は、前記薬品別検査条件情報Ｄ２１（前記患者別検査条件情報Ｄ２２）及び前記患者マスターＤ１６に基づいて、前記定期的検査が「有り」に設定されている薬品を服用する患者のうち現在入院中の患者を抽出する。即ち、前記制御部１１は、前記薬品別検査条件情報Ｄ２１（前記患者別検査条件情報Ｄ２２）及び前記患者マスターＤ１６に基づいて、前記定期的検査が「無し」に設定されている薬品を服用する患者は抽出しない。さらに、前記制御部１１は、前記定期的検査が「有り」に設定されている薬品を服用する患者であっても現在入院中でない患者は抽出しない。従って、前記検査支援システム１０では、多数の患者のうち入院中の患者のみについて自動的に後述の定期的検査チェック処理を実行することが可能である。
【０１５７】
なお、他の実施形態として、前記ステップＳ７において、前記制御部１１が、現在入院中ではない患者に対応する前記検査時期情報Ｄ２５が存在する場合は前記検査時期情報Ｄ２５を削除することも考えられる。なお、前記検査時期情報Ｄ２５の削除のタイミングは、例えば患者が退院又は転院した旨を示す前記ホスト側患者データが取得されたタイミングである。また、前記制御部１１が、予め定められた時期に又は予め定められた間隔で、前記検査時期情報Ｄ２５が登録された患者各々が入院しているか否かを判断してもよい。そして、前記制御部１１は、前記ステップＳ８において、前記検査時期情報Ｄ２５が登録されている患者のみを対象に、前記検査時期情報Ｄ２５に基づいて前記定期的検査が適切に実施されている否かを判定する定期的検査チェック処理を実行する。
【０１５８】
＜ステップＳ８＞
前記制御部１１は、前記処方データが取得された場合であって前記処方データに対応する患者が入院中である場合（Ｓ１、Ｓ２：Ｙｅｓ）、又は前記定期的検査チェックの実行タイミングである場合に（Ｓ６：Ｙｅｓ）、続くステップＳ８を実行する。ステップＳ８において、前記制御部１１は、前記検査時期情報Ｄ２５に基づいて前記定期的検査が適切に実施されている否かを判定する定期的検査チェック処理を実行する。
【０１５９】
なお、他の実施形態として、前記定期的検査チェックの実行タイミングであると判断された後（Ｓ６：Ｙｅｓ）、前記ステップＳ７が省略されて前記ステップＳ８が実行されることも考えられる。具体的に、前記制御部１１は、前記ステップＳ５及び前記ステップＳ２０２において前記検査時期情報Ｄ２５を生成又は更新する際に、対象となる患者が入院中であるか否かを判断し、その患者が入院中である場合にのみ前記検査時期情報Ｄ２５を生成又は更新する。即ち、前記制御部１１の前記第１判定処理部１１６が、患者が入院中であるか否かを判定するタイミングは、前記定期的検査チェック処理（Ｓ８）の直前である場合に限らない。一方、前記制御部１１は、入院中ではない患者に対応する前記検査時期情報Ｄ２５については予め設定されたタイミングで削除することが考えられる。なお、前記検査時期情報Ｄ２５の削除のタイミングは、例えば患者が退院又は転院した旨を示す前記ホスト側患者データが取得されたタイミングである。また、前記制御部１１が、予め定められた時期に又は予め定められた間隔で、前記検査時期情報Ｄ２５が登録された患者各々が入院しているか否かを判断してもよい。そして、前記制御部１１は、前記ステップＳ８において、前記検査時期情報Ｄ２５が登録されている患者のみを対象に、前記検査時期情報Ｄ２５に基づいて前記定期的検査が適切に実施されている否かを判定する定期的検査チェック処理を実行する。
【０１６０】
［定期的検査チェック処理］
次に、図１６を参照しつつ、前記定期的検査チェック処理の詳細について説明する。前記定期的検査チェック処理は、患者が服用する薬品ごとに実行される。即ち、患者が複数種類の薬品を服用する場合には、複数の前記定期的検査チェック処理が並列又は直列で実行される。そして、前記定期的検査チェック処理では、薬品を服用する患者について適切な検査が実施されているか否かが判断される。以下、前記定期的検査チェック処理の対象となる患者を対象患者と称し、その対象患者が服用する薬品を対象薬品と称する。
【０１６１】
＜ステップＳ１１＞
ステップＳ１１において、前記制御部１１は、入院中である患者について、その患者が服用する薬品に対応する前記検査項目の前記検査実施時期が前記検査条件を満たしているか否かを判定する。ここに、係る処理は前記制御部１１の前記第２判定処理部１１７によって実行される。具体的に、前記制御部１１は、前記検査時期情報Ｄ２５で設定されている前記検査間隔開始日及び前記検査間隔終了日の間の検査期間のうち現時点が属する検査期間及び過去の検査期間について検査が実施されているか否かを判断する。ここで、検査が実施されている場合は正常と判断され、検査が実施されていない場合はエラーと判断される。
【０１６２】
なお、本実施形態では、前記制御部１１が、予め生成される前記検査時期情報Ｄ２５に基づいて前記検査実施時期が前記検査場件を満たしているか否かを判定する場合について説明する。一方、前記制御部１１が、前記検査時期情報Ｄ２５を予め生成せず、前記ステップＳ１１において、患者が服用する薬品に対応する前記検査項目の前記検査間隔開始日及び前記検査間隔終了日の間の検査期間を前記検査条件に基づいてその都度導出し、その導出された前記検査期間内に検査が実施されているか否かを判断してもよい。
【０１６３】
＜ステップＳ１２＞
ところで、前記定期的検査チェックの対象となる前記検査項目に、前記患者の身体情報に関係する検査項目が含まれることがあり、前記身体情報が前記検査項目の検査結果の適否判定に影響することがある。例えば、前記検査項目のうち患者のＢＭＩ（Ｂｏｄｙ  Ｍａｓｓ  Ｉｎｄｅｘ：体重／身長2）に関連する検査項目が存在する場合、前記チェック項目のうち前記検査値別最大量チェックでは、患者のＢＭＩの値ごとに最大量が異なることがある。この場合、前記ＢＭＩの値が適切な時期に測定された体重及び身長に基づいて算出された値であることが前提となる。そのため、ステップＳ１２において、前記制御部１１は、前記患者マスターＤ１６及びＢＭＩチェック情報Ｄ２６に基づいて、前記患者の身体情報の測定時期が前記許容測定期間内であるか否かを判定する。ここに、係る処理は前記第４判定処理部１１９によって実行される。
【０１６４】
具体的に、前記制御部１１は、前記患者の体重測定時期が前記体重許容測定期間内であるか否か、及び前記患者の身長測定時期が前記身長許容測定期間内であるか否かを判定する。そして、前記体重測定時期又は前記身長測定時期が、前記体重許容測定期間内又は前記身長許容測定期間内である場合に正常と判断される。一方、前記体重測定時期又は前記身長測定時期が、前記体重許容測定期間又は前記身長許容測定期間を超えている場合にエラーと判断される。
【０１６５】
従って、本実施形態に係る前記検査支援システム１０によれば、患者の身長及び体重などの身体情報の測定時期についても適否が判定されるため、前記第３判定処理部１１８による前記検査項目の検査結果についての適否判定の正確性が高まる。なお、前記定期的検査チェックの対象となる前記検査項目が前記身体情報に関係のない予め定められた検査項目である場合には、前記ステップＳ１２〜Ｓ１３が省略されてもよい。また、前記ステップＳ１２又はＳ１３の処理は、前記処方チェック処理で実行されてもよい。
【０１６６】
＜ステップＳ１３＞
ステップＳ１３において、前記制御部１１は、前記患者マスターＤ１６及びＢＭＩチェック情報Ｄ２６に基づいて、前記患者のＢＭＩが前記ＢＭＩ上限及び前記ＢＭＩ下限で規定される適正範囲内であるか否かを判定する。
【０１６７】
具体的に、前記制御部１１は、前記患者の身長及び体重からＢＭＩを算出し、そのＢＭＩが、前記ＢＭＩ上限以下であるか否か、及び前記ＢＭＩ下限以上であるか否かを判定する。そして、算出された前記ＢＭＩが、前記ＢＭＩ上限以下であって前記ＢＭＩ下限以上である場合に正常と判断される。一方、前記ＢＭＩ上限を超えている場合、又は前記ＢＭＩ下限より低い場合にエラーと判断される。
【０１６８】
＜ステップＳ１４＞
ステップＳ１４において、前記制御部１１は、前記ステップＳ１１〜Ｓ１３における判定結果を出力するための処理を実行する。なお、係る処理は、前記出力処理部１２０によって実行される。具体的に、前記出力処理部１２０は、前記判定結果を前記サーバー１の前記表示装置１４又は前記クライアント端末２の前記表示装置２４などに表示させる。また、前記出力処理部１２０は、前記プリンター４を用いて前記判定結果を印刷してもよい。例えば、処方箋、薬情、お薬手帳、薬袋、又は定期的検査管理シートに印刷する。さらに、前記出力処理部１２０は、前記判定結果を示すデータを例えば前記上位システム６などに送信するデータ送信を実行することも可能である。なお、前記制御部１１は、前記判定結果のうちエラーであるものだけを出力してもよい。
【０１６９】
また、前記制御部１１は、前記医療機関に入院する患者各々の服薬状況などが表示されるモニター画面Ｄ７に、前記患者ごとに対応する前記定期的検査チェック処理における判定結果を表示させることが考えられる。ここに、図１７は、前記モニター画面Ｄ７の一例を示す図である。図１７に示されるように、前記モニター画面Ｄ７では、領域Ａ７１に患者各々の服薬に関するデータが表示されている。そして、前記定期的検査チェック処理において前記エラー設定処理が実行された場合には、前記領域Ａ７１における「定期的検査」の項目欄Ａ７２にエラーである旨を示す「×」などの符号又は文字が出力される。なお、前記定期的検査チェック処理における判定結果が注意である場合は、前記領域Ａ７１における「定期的検査」の項目欄Ａ７２に注意である旨を示す「△」などの符号又は文字が出力される。
【０１７０】
また、前記制御部１１は、前記定期的検査チェックの判定結果が適正でない場合は、ユーザーによる前記項目欄Ａ７２の選択操作に応じて、前記判定結果を出力することが考えられる。例えば、患者の体重の測定時期が前記体重許容測定期間を満たしていない場合には、「１８０日以内の体重が取得できませんでした。ＢＭＩに基づく評価が行えていません。」などのメッセージが表示される。同様に、患者の身長の測定時期が前記身長許容測定期間を満たしていない場合には、「７３０日以内の身長が取得できませんでした。ＢＭＩに基づく評価が行えていません。」などのメッセージが表示される。また、患者のＢＭＩの算出結果が前記ＢＭＩ上限を超えている場合には、「ＢＭＩ上限値を超えています、アイトロール錠２０ｍｇはＢＭＩ上限２５．０以下が適応となっています。」などのメッセージが表示され、患者のＢＭＩの算出結果が前記ＢＭＩ下限を下回っている場合には、「ＢＭＩ下限値を超えています、アイトロール錠２０ｍｇはＢＭＩ下限１８．５以上が適応となっています。」などのメッセージが表示されることが考えられる。
【０１７１】
このように、前記検査支援システム１０では、前記制御部１１によって前記定期的検査チェック処理が実行されることにより、前記対象薬品を服用する前記対象患者について適切な検査が実施されているか否かが判定され、その判定結果が出力される。従って、ユーザーは、前記対象患者について適切な検査が実施されているか否かを容易に把握することができ、例えば薬品の服用に際して必要な検査の実施漏れ、又は薬品の服用後に必要な検査の実施漏れなどを抑制することができる。
【０１７２】
また、本実施形態では、前記定期的検査チェック処理が前記処方データに含まれる前記薬品コードに対応する薬品ごとについて実行される場合を例に挙げて説明した。一方、前記処方データに、同一の検査項目についての検査が必要な複数の前記薬品コードが含まれることも考えられる。この場合、前記制御部１１の前記第２判定処理部１１７は、複数の前記薬品コードのうち前記検査間隔が最も短い薬品コードに対応付けられた前記検査条件に基づいて、前記検査項目の検査が前記検査間隔内に実施されているかを判断することが考えられる。
【０１７３】
また、前記検査支援システム１０では、前記処方データに含まれる服用開始時期が前記初回服用日として設定され、その初回服用日を基準に前記定期的検査チェック処理が実行される場合を例に挙げて説明した。一方、前記検査支援システム１０において、前記制御部１１が、患者各々の実際の薬品の服用時期が入力された場合に、その服用時期を基準に前記定期的検査チェック処理が実行されることも考えられる。これにより、前記処方データに含まれる服用開始日と実際の服用日との間にずれが生じた場合であっても、前記定期的検査チェックを適切に実施することが可能である。また、患者の疾患（病名）ごとに定期的検査の要否を判断することも他の実施形態として考えられる。例えば、前記制御部１１は、患者の疾患が透析を伴うものである場合に、前記定期的検査は不要であると判断することが考えられる。
【０１７４】
なお、本実施形態に係る前記検査支援システム１０では、入院患者を対象に前記定期的検査が実施される場合について説明したが、外来患者を対象に前記定期的検査が実施されることも考えられる。例えば、前記定期的検査管理処理（図１４参照）の前記ステップＳ２において、前記入院患者ではないと判断された場合にも、前記処方データに対応する患者について、その患者が前記処方データに処方薬として含まれる薬品を服用する場合に必要な検査が適切に行われているか否かが判定されてもよい。
【０１７５】
また、本実施形態に係る前記検査支援システム１０では、前記制御部１１が、患者各々が入院中であるか否かを判断して、前記患者各々について前記定期的検査チェック処理の対象であるか否かを判断する構成について説明した。一方、例えば前記マスター記憶部１２２に、入院患者の前記患者マスターＤ１６が記憶される入院患者記憶領域と、入院患者を除く外来患者などの前記患者マスターＤ１６が記憶される外来患者記憶領域とが含まれることが考えられる。また、前記制御部１１は、前記患者マスターＤ１６への患者の情報の登録時に入院患者が選択された場合には前記入院患者記憶領域に記憶させ、入院患者が選択されなかった場合には前記外来患者記憶領域に記憶させる。なお、ユーザー操作に応じて前記入院患者記憶領域又は前記外来患者記憶領域が任意に選択されて患者の情報が登録されることも考えられる。
【０１７６】
そして、前記制御部１１は、前記入院患者記憶領域に記憶されている入院患者のみを対象に前記定期的検査チェック処理を実行することが考えられる。具体的には、前記定期的管理処理（図１４参照）と同等の処理が前記入院患者記憶領域の前記患者マスターＤ１６に登録された入院患者のみを対象に実行される。即ち、前記第２取得処理部１１２が、前記入院患者記憶領域を参照し、入院患者が服用する薬品に対応付けられた検査項目の検査時期に関する検査条件を取得する。また、前記第３取得処理部１１３が、前記入院患者の前記検査項目の検査実施時期を取得する。そして、前記第２判定処理部１１７は、前記入院患者が服用する薬品に対応する前記検査項目の前記検査実施時期が前記検査条件を満たしているか否かを判定し、前記出力処理部１２０は、前記第２判定処理部１１７による判定結果を出力する。
【０１７７】
［検査候補期間抽出機能］
ところで、前記定期的検査管理処理では、同一の検査項目について複数の前記検査間隔開始日及び前記検査間隔終了日の期間の一部が重複することがある。具体的には、複数の薬品の服用について同一の検査項目の定期的検査が必要である場合に、複数の前記検査間隔開始日及び前記検査間隔終了日の期間の一部が重複することがある。また、前記第３の設定手法によって前記検査期間が設定される場合には、一つの薬品について前記開始実施期間及び前記終了実施期間の間の日数が前記検査間隔開始日及び前記検査間隔終了日の間の日数で割り切れない場合にも、複数の前記検査間隔開始日及び前記検査間隔終了日の期間の一部が重複することになる（例えば、図１８（Ｃ）の検査期間ｅ１及び検査期間ｅ２１）。
【０１７８】
このように複数の前記検査間隔開始日及び前記検査間隔終了日の期間の一部が重複する場合、その重複した期間に前記検査項目の検査が実施されることにより、前記検査項目についての検査が効率的に行われる。例えば、同一の検査項目について２つの前記検査間隔開始日及び前記検査間隔終了日の期間の一部が重複する場合に、その重複する期間を除く期間に検査が行われると２回の検査が必要になるが、重複した期間に前記検査項目の検査が実施される場合には１回の検査で足りると考えられることがある。
【０１７９】
そこで、前記検査支援システム１０では、前記制御部１１が、予め選択される特定患者について、効率的な検査の実施が可能になる次の検査日の候補を自動的に抽出する検査候補期間抽出機能を有することが考えられる。具体的に、前記制御部１１は、後述の検査候補期間抽出処理を実行することにより検査候補期間抽出機能を具現する。前記制御部１１は、前記検査候補期間抽出処理において、複数の前記検査間隔開始日及び前記検査間隔終了日の期間の一部が重複する場合に、その重複した期間を検査候補期間として出力するための処理を実行する。ここに、図１９は、前記検査候補期間抽出処理の一例を示すフローチャートである。
【０１８０】
［検査候補期間抽出処理］
＜ステップＳ４１＞
ステップＳ４１において、前記制御部１１は、前記特定患者に対応する前記検査時期情報Ｄ２５に基づいて、前記検査間隔開始日が１番目に早い前記検査間隔開始日及び前記検査間隔終了日の組み合わせの期間（以下、第１検査期間と称する）を特定する。なお、前記検査間隔開始日が同一の検査期間が複数存在する場合には、前記検査間隔終了日が早い方が選択される。
【０１８１】
＜ステップＳ４２＞
ステップＳ４２において、前記制御部１１は、前記特定患者に対応する前記検査時期情報Ｄ２５に基づいて、前記検査間隔開始日が２番目に早い前記検査間隔開始日及び前記検査間隔終了日の組み合わせの期間（以下、第２検査期間と称する）を特定する。なお、前記検査間隔開始日が同一の検査期間が複数存在する場合には、前記検査間隔終了日が早い方が選択される。
【０１８２】
また、前記特定患者が複数の薬品を服用する場合であって、その薬品について同じ検査項目についての定期的検査が必要である場合、前記制御部１１は、薬品ごとに前記ステップＳ４１〜Ｓ４２を実行することが考えられる。この場合、前記制御部１１は、各薬品に対応して前記ステップＳ４１〜Ｓ４２で特定された各期間の中から前記検査間隔開始日が最も早い期間とその次に前記検査間隔開始日が早い期間とを前記第１検査期間及び前記第２検査期間として特定することが考えられる。
【０１８３】
＜ステップＳ４３＞
ステップＳ４３において、前記制御部１１は、前記ステップＳ４１で特定された前記第１検査期間と、前記ステップＳ４２で特定された前記第２検査期間とが重複しているか否かを判断する。ここで、前記第１検査期間及び前記第２検査期間が重複すると判断されると（Ｓ４３：Ｙｅｓ）、処理がステップＳ４４に移行し、前記第１検査期間及び前記第２検査期間が重複しないと判断されると（Ｓ４３：Ｎｏ）、処理がステップＳ４５に移行する。
【０１８４】
＜ステップＳ４４＞
ステップＳ４４において、前記制御部１１は、前記第１検査期間及び前記第２検査期間のうち重複する期間を検査候補期間として出力する。より具体的に、制御部１１は、前記検査候補期間を前記表示装置１４又は前記表示装置２４などに表示させること、或いは前記プリンター４によって処方箋、薬情、お薬手帳、薬袋、又は定期的検査管理シートなどに印刷させることが考えられる。
【０１８５】
＜ステップＳ４５＞
一方、ステップＳ４５において、前記制御部１１は、前記ステップＳ４１で特定された前記第１検査期間を検査候補期間として出力する。より具体的に、制御部１１は、前記検査候補期間を前記表示装置１４又は前記表示装置２４などに表示させる。なお、前記プリンター４によって処方箋、薬情、お薬手帳、薬袋、又は定期的検査管理シートなどに印刷されてもよい。また、前記ステップＳ４４において、前記制御部１１は、前記重複期間のうち現時点以降の期間を前記検査候補期間として出力してもよい。
【０１８６】
以上説明したように、前記検査候補期間抽出機能によれば、効率的な検査の実施が可能になる次の検査日の候補が自動的に抽出されて出力されるため、ユーザーは、効率的な次の検査候補期間を容易に決定することが可能である。
【０１８７】
ここに、図２１は、図１９に示す前記検査候補期間抽出処理の実行結果の一例を説明するための図である。ここでは、一種類の薬品Ｍ１に対応する検査項目について前記検査間隔開始日及び前記検査間隔終了日の組み合わせが重複する場合について説明する。また、前記投与後フラグが「１」、前記初回服用日が「２０１４／０１／０１」であって、前記開始実施期間が０日から前記終了実施期間が３０日までの間の３０日間の前記検査間隔が２０日であり、３１日から前記終了実施期間が９０日までの間の６０日間の前記検査間隔が４５日であるとする。
【０１８８】
この場合、前記制御部１１は、前記定期的検査管理処理の前記ステップＳ５、Ｓ２０２において、図２１に示されるように、前記初回服用日（２０１４／０１／０１）を基準に、前記検査間隔開始日及び前記検査間隔終了日の組み合わせとして、「２０１４／０１／０１」及び「２０１４／０１／２０」の間の検査期間Ｅ１、「２０１４／０１／１１」及び「２０１４／０１／３０」の間の検査期間Ｅ２、「２０１４／０１／３１」及び「２０１４／０３／１７」の間の検査期間Ｅ３、「２０１４／０２／１５」及び「２０１４／０４／０１」の間の検査期間Ｅ４などを前記検査時期情報Ｄ２５に登録することになる。
【０１８９】
このとき、前記検査期間Ｅ１及び前記検査期間Ｅ２が、「２０１４／０１／１１」及び「２０１４／０１／２０」の間の重複期間Ｅ１１で重複しており、前記検査期間Ｅ３及び前記検査期間Ｅ４が、「２０１４／０２／１５」及び「２０１４／０３／１７」の間の重複期間Ｅ１２で重複する。
【０１９０】
そのため、例えば、現時点が「２０１４／０１／０１」から「２０１４／０１／２０」の間であって現時点までの間に検査が実施されていない場合には、前記ステップＳ４１で前記検査期間Ｅ１が特定され、前記ステップＳ４２で前記検査期間Ｅ２が特定された後、前記重複期間Ｅ１１が検査期間候補として出力される（Ｓ４４）。また、現時点が、「２０１４／０１／３１」及び「２０１４／０３／１７」の間であって現時点までの間に検査が実施されていない場合は、前記ステップＳ４１で前記検査期間Ｅ３が特定され、前記ステップＳ４２で前記検査期間Ｅ４が特定された後、前記重複期間Ｅ１２が検査期間候補として出力される（Ｓ４４）。
【０１９１】
また、図２２は、図１９に示す前記検査候補期間抽出処理の実行結果の他の例を説明するための図である。ここでは、前記薬品Ｍ１に加えて薬品Ｍ２を含む二種類の薬品を患者が服用する場合であって、その薬品Ｍ１及び薬品Ｍ２に共通する検査項目について前記検査間隔開始日及び前記検査間隔終了日の組み合わせが重複する場合について説明する。また、薬品Ｍ２については、前記投与後フラグが「１」、前記初回服用日が「２０１４／０１／０１」であって、前記開始実施期間が０日から前記終了実施期間が６０日までの間の６０日間の前記検査間隔が２０日であり、６１日から前記終了実施期間が１３５日までの間の７５日間の前記検査間隔が４５日であるとする。
【０１９２】
この場合、前記制御部１１は、前記定期的検査管理処理の前記ステップＳ５、Ｓ２０２において、図２２に示されるように、前記初回服用日（２０１４／０１／０１）を基準に、前記検査間隔開始日及び前記検査間隔終了日の組み合わせとして、「２０１４／０１／０１」及び「２０１４／０１／２０」の間の検査期間Ｅ２１、「２０１４／０１／２１」及び「２０１４／０２／０９」の間の検査期間Ｅ２２、「２０１４／０２／１０」及び「２０１４／０２／２９」の間の検査期間Ｅ２３、「２０１４／０３／０１」及び「２０１４／０４／１４」の間の検査期間Ｅ２４、「２０１４／０４／０１」及び「２０１４／０５／１４」の間の検査期間Ｅ２５などを前記検査時期情報Ｄ２５に登録することになる。
【０１９３】
そして、図２２に示すように、現時点が「２０１４／０１／０４」などの時点Ｔ１であって前記検査期間Ｅ１の間に検査が実施されていない場合には、前記ステップＳ４１で前記検査期間Ｅ１が特定され、前記ステップＳ４２で前記検査期間Ｅ２１が特定された後、前記検査期間Ｅ１及び前記検査期間Ｅ２１の間の重複期間のうち現時点以降の重複期間Ｅ３１が検査期間候補として出力される（Ｓ４４）。また、現時点が、「２０１４／０２／１１」などの時点Ｔ２であって前記検査期間Ｅ３の間に検査が実施されていない場合には、前記ステップＳ４１で前記検査期間Ｅ３が特定され、前記ステップＳ４２で前記検査期間Ｅ２３が特定された後、前記検査期間Ｅ３及び前記検査期間Ｅ２３の間の重複期間のうち現時点以降の重複期間Ｅ３２が検査期間候補として出力される（Ｓ４４）。
【０１９４】
［検査候補期間抽出処理の他の例］
また、図２０は、前記検査候補期間抽出処理の他の例を示すフローチャートである。
【０１９５】
＜ステップＳ５１＞
ステップＳ５１において、前記制御部１１は、前記特定患者に対応する前記検査時期情報Ｄ２５に基づいて、前記検査間隔終了日が１番目に早い前記検査間隔開始日及び前記検査間隔終了日の組み合わせの期間（以下、第３検査期間と称する）を特定する。なお、前記検査間隔終了日が同一の検査期間が複数存在する場合には、前記検査間隔開始日が早い方が選択される。
【０１９６】
＜ステップＳ５２＞
ステップＳ５２において、前記制御部１１は、前記特定患者に対応する前記検査時期情報Ｄ２５に基づいて、複数の前記検査間隔開始日及び前記検査間隔終了日の組み合わせのうち、前記ステップＳ５１で特定された前記第３検査期間と期間が重複する組み合わせの数が最も多い期間を抽出する。
【０１９７】
＜ステップＳ５３＞
ステップＳ５３において、前記制御部１１は、前記ステップＳ５２で抽出された期間を検査候補期間として出力する。より具体的に、制御部１１は、前記検査候補期間を前記表示装置１４又は前記表示装置２４などに表示させる。なお、前記プリンター４によって処方箋、薬情、お薬手帳、薬袋、又は定期的検査管理シートなどに印刷されてもよい。また、前記ステップＳ５３において、前記制御部１１は、前記重複期間のうち現時点以降の期間を前記検査候補期間として出力してもよい。
【０１９８】
以上説明したように、前記検査候補期間抽出機能によれば、効率的な検査の実施が可能になる次の検査日の候補が自動的に抽出されるため、ユーザーは、容易に次の検査候補期間を決定することが可能である。
【０１９９】
例えば、図２２に示した例において、図２０に示された前記検査候補期間抽出処理が実行された場合であって、時点が「２０１４／０１／０４」などの時点Ｔ１である場合には、前記ステップＳ５１で前記検査期間Ｅ１が特定され、前記ステップＳ５２で前記検査期間Ｅ１、Ｅ２、Ｅ２１が重なる重複期間Ｅ３３が特定され、その重複期間Ｅ３３が検査期間候補として出力される（Ｓ５３）。また、現時点が、「２０１４／０２／１１」などの時点Ｔ２である場合は、前記ステップＳ５１で前記検査期間Ｅ２３が特定され、前記ステップＳ５２で前記検査期間Ｅ３、Ｅ４、Ｅ２３が重なる重複期間Ｅ３４が特定され、その重複期間３４が検査期間候補として出力される（Ｓ５３）。
【０２００】
なお、前記制御部１１は、ユーザー操作に応じて、図１９及び図２０に示された前記検査候補期間抽出処理のいずれかを実行するように予め設定することが可能であってもよい。また、前記制御部１１は、前記ステップＳ４５又は前記ステップＳ５３で前記重複期間が表示されている状態で、ユーザー操作に応じて、図１９及び図２０に示された前記検査候補期間抽出処理各々の結果を切り替えて表示可能であってもよい。
【０２０１】
さらに、前記制御部１１は、１人の患者について異なる前記検査項目各々の前記重複期間を特定した場合に、その複数の前記重複期間が重複する期間を前記検査項目各々についての前記検査候補期間として出力することも考えられる。これにより、ユーザーは、できるだけ複数の前記検査項目の検査を纏めて実施することが可能な期間を容易に把握することが可能である。また、前記制御部１１は、１人の患者について異なる前記検査項目各々の前記重複期間を特定した場合に、その複数の前記重複期間が重複しない期間を前記検査項目各々についての前記検査候補期間として出力することも考えられる。この場合、ユーザーは、できるだけ複数の前記検査項目の検査が重ならないような期間を容易に把握することが可能である。
【符号の説明】
【０２０２】
１    サーバー
１１  制御部
１２  記憶部
１３  通信Ｉ／Ｆ
１４  表示装置
１５  操作装置
１６  ドライブ装置
２    クライアント端末
２１  制御部
２２  記憶部
２３  通信Ｉ／Ｆ
２４  表示装置
２５  操作装置
２６  ドライブ装置
３    調剤機器
４    プリンター
５    通信網
６    上位システム
１０  検査支援システム
【図１】
0006627613.tif 000002
【図２】
0006627613.tif 000003
【図３】
0006627613.tif 000004
【図４】
0006627613.tif 000005
【図５】
0006627613.tif 000006
【図６】
0006627613.tif 000007
【図７】
0006627613.tif 000008
【図８】
0006627613.tif 000009
【図９】
0006627613.tif 000010
【図１０】
0006627613.tif 000011
【図１１】
0006627613.tif 000012
【図１２】
0006627613.tif 000013
【図１３】
0006627613.tif 000014
【図１４】
0006627613.tif 000015
【図１５】
0006627613.tif 000016
【図１６】
0006627613.tif 000017
【図１７】
0006627613.tif 000018
【図１８】
0006627613.tif 000019
【図１９】
0006627613.tif 000020
【図２０】
0006627613.tif 000021
【図２１】
0006627613.tif 000022
【図２２】
0006627613.tif 000023